(57)【要約】本明細書に開示された実施形態によれば、ベクトル化ＤＳＬラインを診断および最適化するための方法、システム、メカニズム、技術、および装置が提供される。たとえば、一実施形態では、該システムは、ベクトル化グループに割り当てられる複数のデジタル通信ラインの第１のサブセット、および、ベクトル化グループの外部で動作する複数のデジタル通信ラインの第２のサブセットに対するインターフェース；ベクトル化グループを分析するためのダイナミックスペクトラルマネージメントサーバー（ＤＳＭサーバー）を含み、ＤＳＭサーバーはベクトル化グループの複数のデジタル通信ラインのそれぞれに対して以下の動作を実行する：クロストークキャンセルを機能させて、デジタル通信ラインの緩和されたノイズレベルを測定する工程、クロストークキャンセルを機能させないで、デジタル通信ラインの緩和されていないノイズレベルを測定する工程、およびデジタル通信ラインで測定された緩和されたノイズレベルと、デジタル通信ラインで測定された緩和されていないノイズレベルとを比較する工程を実行する。該実施形態では、システムのＤＳＭサーバーは、分析に基づいて最適化命令をさらに発行する。たとえば、ベクトル化グループ、ベクトル化グループの外部のライン、またはその両方に対して最適化命令を発行する。
2015514352.tif 000002
【特許請求の範囲】
【請求項１】
ベクトル化グループに割り当てられる複数のデジタル通信ラインの第１のサブセット、および、前記ベクトル化グループの外部で動作する複数のデジタル通信ラインの第２のサブセットに対するインターフェースと、
前記ベクトル化グループを分析するためのダイナミックスペクトラルマネージメントサーバー（ＤＳＭサーバー）であって、前記ベクトル化グループの複数のデジタル通信ラインのそれぞれに対して、
クロストークキャンセルを機能させて前記デジタル通信ラインの緩和されたノイズレベルを測定する工程と、
クロストークキャンセルを機能させないで前記デジタル通信ラインの緩和されていないノイズレベルを測定する工程と、
前記デジタル通信ラインで測定された前記緩和されたノイズレベルと、前記デジタル通信ラインで測定された前記緩和されていないノイズレベルとを比較する工程の動作を実行させ、および
前記ＤＳＭサーバーは、分析に基づいて最適化命令を発行する工程をさらに実施するＤＳＭサーバーを含むシステム。
【請求項２】
請求項１のシステムにおいて、
前記分析に基づいて前記最適化命令を発行する前記ＤＳＭサーバーは、
（ａ）前記ベクトル化グループに対する前記最適化命令を発行するＤＳＭサーバー；
（ｂ）前記ベクトル化グループの外部で動作する前記デジタル通信ラインの１つまたは複数に対する前記最適化命令を発行するＤＳＭサーバー；および
（ｃ）前記ベクトル化グループおよび前記ベクトル化グループの外部で動作する前記デジタル通信ラインの１つまたは複数の両方に最適化命令を発行するＤＳＭサーバーの中の１つを含むシステム。
【請求項３】
請求項１のシステムにおいて、
複数のデジタル通信ラインは、複数のデジタル加入者回線（ＤＳＬライン）を含み、
前記ベクトル化グループに割り当てられる複数のデジタル通信ラインの前記第１のサブセットは、複数のベクトル化ＤＳＬラインを含むシステム。
【請求項４】
請求項１のシステムにおいて、
前記ベクトル化グループを分析する前記ＤＳＭサーバーは、前記ベクトル化グループの複数のデジタル通信ラインのそれぞれに対して推定されるノイズレベルおよび推定されるクロストークレベルを演算するＤＳＭサーバーをさらに含むシステム。
【請求項５】
請求項４のシステムにおいて、
前記ＤＳＭサーバーは、前記ベクトル化グループの複数のデジタル通信ラインのそれぞれに対して測定された信号対ノイズ比、ＳＮＲ（ｆ）の少なくとも一部に基づいて、前記推定されるノイズレベルおよび前記推定されるクロストークレベルを演算するシステム。
【請求項６】
請求項４のシステムにおいて、
前記ベクトル化グループの複数のデジタル通信ラインのそれぞれに対して前記推定されるノイズレベルを演算する前記ＤＳＭサーバーは、前記ベクトル化グループの複数のデジタル通信ラインのそれぞれに受信された総遠端クロストーク（ＦＥＸＴ）パワースペクトル密度（ＰＳＤ）を演算するＤＳＭサーバーを含むシステム。
【請求項７】
請求項４のシステムにおいて、
前記緩和されたノイズレベルとは、同一の前記ベクトル化グループの中の他のデジタル通信ラインに起因するクロストークをキャンセルするためにノイズキャンセル技術を活性化させて、前記ベクトル化グループの中の各デジタル通信ラインで測定されたノイズの第１の総量を示し、
前記緩和されていないノイズレベルとは、ノイズキャンセル技術を活性化させないで、前記ベクトル化グループの中の各前記デジタル通信ラインで測定されたノイズの第２の総量を示し、ここで測定されたノイズの前記第２の総量は、同一の前記ベクトル化グループの中の前記他のデジタル通信ラインからのキャンセルされていない干渉を含み；および
ここで前記干渉のベースラインレベルは、前記緩和されていないノイズレベルから、Ｘｌｏｇに基づく総クロストークレベルＸＴ（ｆ）を差し引くことによって推定されるシステム。
【請求項８】
請求項７のシステムにおいて、
前記ＤＳＭサーバーは、前記ベクトル化グループの複数のデジタル通信ラインのそれぞれに対して信号対ノイズ比、ＳＮＲ（ｆ）をさらに測定し、
前記ベクトル化グループの複数のデジタル通信ラインのそれぞれに対する前記ＳＮＲ（ｆ）およびクワイエット（ｑｕｉｅｔ）ラインノイズパワースペクトル密度、ＱＬＮ（ｆ）は、前記緩和されたノイズレベル、緩和されていないノイズレベルおよび前記干渉のベースラインレベルを演算するために前記ＤＳＭサーバーによって使用され；および
前記ベクトル化グループの中の各前記デジタル通信ラインの前記干渉のベースラインレベルは、同一の前記ベクトル化グループの中の前記他のデジタル通信ラインに起因する前記干渉が完全にキャンセルされる場合のレベルであるシステム。
【請求項９】
請求項７のシステムにおいて、
前記干渉の推定されるベースラインレベルは：
受信機の電子部品に起因する干渉の推定されるレベルであって、前記受信機の電子部品は複数のデジタル通信ラインの１つに結合する受信機の一部であるレベル；
前記ベクトル化グループに対するクロストークキャンセルの不完全な実装に起因する干渉の推定されるレベル；
前記ベクトル化グループの中のベクトル化によってキャンセルされたクロストーク干渉の推定されるレベルの少なくとも１つを含むシステム。
【請求項１０】
請求項４のシステムにおいて、
前記ベクトル化グループの分析に基づいて、前記ベクトル化グループの複数のデジタル通信ラインの１つまたは複数に影響を及ぼすクロストーク結合周波数またはクロストーク結合周波数範囲に基づき、前記ＤＳＭサーバーは性質の異なるクロストーカーの伝送パワースペクトル密度（ＰＳＤ）および種類をさらに特定するシステム。
【請求項１１】
請求項１０のシステムにおいて、
前記ＤＳＭサーバーは、前記性質の異なるクロストーカーに関連している前記クロストーク結合周波数または前記クロストーク結合周波数範囲に基づいて、前記性質の異なるクロストーカーを、前記ベクトル化グループの外部で動作するデジタル通信ラインの前記第２のサブセットの複数のラインの１つ、または、前記ベクトル化グループの複数のデジタル通信ラインの一つにさらに対応づけ、および
前記ＤＳＭサーバーは前記最適化命令の発行に起因する推定される性能向上をさらに演算し、ここで前記最適化命令は、特定された前記性質の異なるクロストーカーに向けられるノイズキャンセルを含むシステム。
【請求項１２】
請求項１０のシステムにおいて、
前記ＤＳＭサーバーは、前記ベクトル化グループの分析に基づいて、性質の異なるクロストーカーをさらに特定し、ここで前記性質の異なるクロストーカーは：
複数のデジタル通信ラインの中の非ベクトルデジタル通信ライン；
前記ベクトル化グループの複数のデジタル通信ラインに備えられる共通の結合器の中の非ベクトルデジタル通信ライン；および
前記ベクトル化グループの中の複数のデジタル通信ラインのベクトル化に適さない（ｎｏｎ−ｖｅｃｔｏｒ−ｆｒｉｅｎｄｌｙ）デジタル通信ラインの１つに対応し、ここで前記ベクトル化に適さないデジタル通信ラインは、ベクトル化を支援しない、または、ベクトル化を実装しない、ベクトル化に適さないデジタル加入者回線モデム（ＤＳＬモデム）と通信可能に接続されるシステム。
【請求項１３】
請求項１０のシステムにおいて、
それぞれ前記ベクトル化グループの中および外部で動作するデジタル通信ラインの前記第１および第２のサブセットの中の、ベクトル化ライン、ベクトル化に適した（ｖｅｃｔｏｒ−ｆｒｉｅｎｄｌｙ）ライン、および／またはベクトル化に適さない（ｎｏｎ−ｖｅｃｔｏｒ−ｆｒｉｅｎｄｌｙ）ラインを選択中のＤＳＭレベル２ジョイントスペクトル最適化を使用した近隣情報に基づいて、前記ＤＳＭサーバーは前記性質の異なるクロストーカーを、前記ベクトル化グループの外部で動作するデジタル通信ラインの前記第２のサブセットの複数のラインの１つ、または、前記ベクトル化グループの複数のデジタル通信ラインの一つにさらに対応づけるシステム。
【請求項１４】
請求項１のシステムにおいて、
前記ＤＳＭサーバーは前記ベクトル化グループの分析に基づいて干渉信号のノイズの分類をさらに実施し、および、前記ノイズの分類に基づいて干渉信号源を特定するシステム。
【請求項１５】
請求項１のシステムにおいて、
前記ベクトル化グループを分析する前記ＤＳＭサーバーは、理論的な遠端クロストーク（ＦＥＸＴ）を推定し；
前記推定される理論的なＦＥＸＴを前記ベクトル化グループの複数のデジタル通信ラインに対して測定された前記緩和されたノイズレベルと比較し；
前記ベクトル化グループに対するクロストークキャンセルの有効性を決定し；およびベクトル化制御エンティティ（ＶＣＥ）と通信可能に接続される前記ベクトル化グループにコマンドを発行するＤＳＭサーバーをさらに含むシステム。
【請求項１６】
請求項１のシステムにおいて、
前記ＤＳＭサーバーは、前記ベクトル化グループの分析に基づいて推定される性能向上をさらに演算し、推定される性能向上を閾値と比較するシステム。
【請求項１７】
請求項１６のシステムにおいて、
前記ベクトル化グループの内部の第１の性質の異なるクロストーカーによって推定される性能向上は、前記ベクトル化グループの外部の第２の性質の異なるクロストーカーに対して推定される性能向上よりも小さく、ここで前記第１の性質の異なるクロストーカーは前記ベクトル化グループに割り当てられるデジタル通信ラインの前記第１のサブセットの１つに対応し、および、前記第２の性質の異なるクロストーカーはデジタル通信ラインのベクトル化グループの外部で動作する第２のサブセットの一つに対応するシステム。
【請求項１８】
請求項１のシステムにおいて、
前記ベクトル化グループの分析に基づいて、前記ＤＳＭサーバーは、複数のデジタル通信ラインの中の性質の異なるクロストーカーをさらに特定し、および
前記ＤＳＭサーバーは、前記ベクトル化グループの外部の複数のデジタル通信ラインの１つであって特定された前記性質の異なるクロストーカーに基づいて、前記ベクトル化グループに対する最適化命令を発行するシステム。
【請求項１９】
請求項１のシステムにおいて、
前記ＤＳＭサーバーはさらに前記ベクトル化グループの分析に基づいて前記ベクトル化グループの外部の１つまたは複数のデジタル通信ラインを特定し、
前記ベクトル化グループの外部の前記特定された１つまたは複数のデジタル通信ラインに対して、
ａ）前記ベクトル化グループの外部のデジタル通信ラインの少なくとも１つに影響をおよぼすシステムパラメータを変更し、および
ｂ）前記ベクトル化グループの外部で動作する前記デジタル通信ラインの少なくとも１つを前記ベクトル化グループの中で動作するように移行させる動作の少なくとも１つを実施するシステム。
【請求項２０】
複数のデジタル通信ラインと通信可能に接続する工程と、
複数のデジタル通信ラインの中で、複数のデジタル通信ラインを備えるベクトル化グループを特定する工程と、
前記ベクトル化グループの複数のデジタル通信ラインのそれぞれに対して以下の動作を実行しベクトル化グループを分析する工程であって、
クロストークキャンセルを機能させて、前記デジタル通信ラインの緩和されたノイズレベルを測定する工程、
クロストークキャンセルを機能させないで前記デジタル通信ラインの緩和されていないノイズレベルを測定する工程、および
前記デジタル通信ラインで測定された前記緩和されたノイズレベルと前記デジタル通信ラインで測定された前記緩和されていないノイズレベルを比較する工程；および
分析に基づいて前記ベクトル化グループに最適化命令を発行する工程を含む分析する工程を備える方法。
【請求項２１】
請求項２０の方法において、
前記ベクトル化グループを分析する工程は、前記動作を実行することによって前記ベクトル化グループを分析するダイナミックスペクトルマネージメントサーバー（ＤＳＭサーバー）を含む方法。
【請求項２２】
請求項２１の方法において、
前記ＤＳＭサーバーは複数のデジタル通信ラインに対して責任を有する通信事業会社とは分離し、および、異なるエンティティによって動作および管理される方法。
【請求項２３】
請求項２０の方法において、
前記ベクトル化グループに対する前記最適化命令を発行する工程は、
前記ベクトル化グループの動作に影響を及ぼす１つまたは複数のパラメータを変化させる工程であって、前記１つまたは複数のパラメータは、ビットレート、マージン、パワースペクトル密度（ＰＳＤ）限界、ベクトル化リソース割り当て、インパルスノイズプロテクション（ＩＮＰ）設定を含むグループから選択される工程を含む方法。
【請求項２４】
請求項２３の方法において、
複数のデジタル通信ラインは、複数のデジタル加入者回線（ＤＳＬライン）を含み、および
前記ベクトル化グループの動作に影響を及ぼす１つまたは複数のパラメータを変更する工程は：
デジタル加入者回線アクセス多重化装置（ＤＳＬＡＭ）と通信可能に接続される前記ベクトル化グループの複数のデジタル通信ラインの少なくとも一つ；
第１の前記ＤＳＬＡＭに隣接する１つまたは複数のＤＳＬＡＭ；
加入者宅内機器（ＣＰＥ）モデムと通信可能に接続される前記ベクトル化グループの複数のデジタル通信ラインの少なくとも一つ；
ＤＳＬ構成要素マネージメントシステム（ＥＭＳ）と通信可能に接続される前記ベクトル化グループの複数のデジタル通信ラインの少なくとも一つ；の中の少なくとも１つまたは複数のパラメータを変化させる前記最適化命令を発行する工程を含む方法。
【請求項２５】
請求項２０の方法において、
前記ベクトル化グループに対する前記最適化命令を発行する工程は：
ａ）複数の通信可能に接続されるデジタル通信ラインの少なくとも一つと通信可能に接続される１つまたは複数のシステム要素の構成を変更する命令を発送する工程；
ｂ）前記ベクトル化グループの分析に基づいて、サービス格上げ更新、サービスの格下げ更新、または異なるサービスオプションを含むサービス提言を生成する工程；
ｃ）前記ベクトル化グループの分析に基づいて、顧客への通知を開始する工程であって、前記顧客への通知は複数の通信可能に接続されるデジタル通信ラインの一つと関連するサービスの顧客へ向けられる工程；および
ｄ）前記ベクトル化グループの分析に基づいてサービスプロバイダーへの通知を開始する工程であって、前記サービスプロバイダーへの通知は、複数の通信可能に接続されるデジタル通信ラインの少なくとも一つに関連するサービスのサービスプロバイダーに向けられる工程を含む方法。
【請求項２６】
請求項２０の方法において、
前記ベクトル化グループの分析に基づく、前記ベクトル化グループの複数のデジタル通信ラインの１つまたは複数に影響を及ぼすクロストーク結合周波数またはクロストーク結合周波数範囲に基づいて、伝送パワースペクトル密度（ＰＳＤ）および性質の異なるクロストーカーの種類を特定する工程をさらに含む方法。
【請求項２７】
請求項２６の方法において、
前記性質の異なるクロストーカーに関連している前記クロストーク結合周波数または前記クロストーク結合周波数範囲に基づいて、前記性質の異なるクロストーカーを前記ベクトル化グループの外部で動作する複数のラインの一つ、または前記ベクトル化グループの複数のデジタル通信ラインの一つに対応づける工程；および
前記最適化命令の発行に起因する推定される性能向上を演算する工程であって、前記最適化命令は、特定された前記性質の異なるクロストーカーを対象にするノイズキャンセルを含む工程をさらに含む方法。
【請求項２８】
請求項２０の方法において、
前記ベクトル化グループの分析に基づいて、性質の異なるクロストーカーを特定する工程をさらに含み、ここで前記性質の異なるクロストーカーは：
複数のデジタル通信ラインの中の非ベクトルデジタル通信ライン；
前記ベクトル化グループの複数のデジタル通信ラインに備えられる共通の結合器の中の非ベクトルデジタル通信ライン；および
前記ベクトル化グループの中の複数のデジタル通信ラインのベクトル化に適さない（ｎｏｎ−ｖｅｃｔｏｒ−ｆｒｉｅｎｄｌｙ）デジタル通信ラインの１つに対応し、ここで前記ベクトル化に適さないデジタル通信ラインは、ベクトル化を支援しない、または、ベクトル化を実装しないベクトル化に適さないデジタル加入者回線モデム（ＤＳＬモデム）と通信可能に接続される方法。
【請求項２９】
請求項２０の方法において、
前記ベクトル化グループの分析に基づいて干渉信号のノイズを分類する工程、および、前記ノイズの分類に基づいて干渉信号源を特定する工程をさらに含む方法。
【請求項３０】
請求項２０の方法において、
前記ベクトル化グループを分析する工程は、
理論的な遠端クロストーク（ＦＥＸＴ）を推定する工程；
前記推定される理論的なＦＥＸＴと前記ベクトル化グループの複数のデジタル通信ラインに対して測定された前記緩和されたノイズレベルと比較する工程；
前記ベクトル化グループに対するクロストークキャンセルの有効性を判断する工程；および
ベクトル化制御エンティティ（ＶＣＥ）と通信可能に接続される前記ベクトル化グループにコマンドを発行する工程をさらに含む方法。
【請求項３１】
請求項２０の方法において、
前記ベクトル化グループの分析に基づいて推定される性能向上を演算する工程、および、前記推定される性能向上と閾値を比較する工程をさらに含む方法。
【請求項３２】
請求項２０の方法において、
前記ベクトル化グループに対する最適化命令を発行する工程は、前記ベクトル化グループの外部の複数のデジタル通信ラインの１つとして動作し、および、前記ベクトル化グループの１つとして動作しない特定された性質の異なるクロストーカーに対する最適化命令を発行する工程を含む方法。
【請求項３３】
請求項２０の方法において、
前記ベクトル化グループに対する最適化命令を発行する工程は、
ａ）前記ベクトル化グループの外部で動作する前記デジタル通信ラインの少なくとも一つに影響を及ぼすシステムパラメータを変更する工程、および
ｂ）前記ベクトル化グループの外部で動作する前記デジタル通信ラインの少なくとも一つを前記ベクトル化グループの中で動作するように移動させる工程の少なくとも１つを実行する工程を含む方法。
【請求項３４】
記憶される命令を含む非一時的なコンピューター読み取り可能記憶媒体であって、ダイナミックスペクトルマネージメントサーバー（ＤＳＭサーバー）のプロセッサーによって実行されると、前記命令は前記ＤＳＭサーバーに：
複数のデジタル通信ラインと通信可能に接続する工程；
複数のデジタル通信ラインの中で、複数のデジタル通信ラインを有する割り当てられたベクトル化グループを特定する工程；
前記ベクトル化グループの複数のデジタル通信ラインのそれぞれに対して以下のサブ−動作を実行することによってベクトル化グループを分析する工程であって：
クロストークキャンセル緩和を活性化させて前記デジタル通信ラインの緩和されたノイズレベルを測定する工程、
クロストークキャンセル緩和を活性化させないで前記デジタル通信ラインの緩和されていないノイズレベルを測定する工程、および
前記デジタル通信ラインで測定された前記緩和されたノイズレベルと前記デジタル通信ラインで測定された前記緩和されていないノイズレベルを比較する工程；および分析に基づいて前記ベクトル化グループに最適化命令を発行する工程を含む動作を実施させるように機能する非一時的なコンピューター読み取り可能記憶媒体。
【請求項３５】
請求項３４の非一時的なコンピューター読み取り可能記憶媒体であって、
前記命令は前記ＤＳＭサーバーに、
理論的な遠端クロストーク（ＦＥＸＴ）を推定する工程；
前記推定される理論的なＦＥＸＴと前記ベクトル化グループの複数のデジタル通信ラインに対して測定された緩和されたノイズレベルを比較する工程；
前記ベクトル化グループに対するクロストークキャンセルの有効性を判断する工程；および
ベクトル化制御エンティティ（ＶＣＥ）と通信可能に接続されるベクトル化グループにコマンドを発行する工程をさらに実施させるように機能する非一時的なコンピューター読み取り可能記憶媒体。
【発明の詳細な説明】
【技術分野】
【０００１】
（著作権表示）
本特許出願書類の発明の一部は、著作権保護のもとにある資料を含む。著作権所有者は、米国特許商標庁による特許のファイルまたは記録であることが明らかである場合には、特許出願書類または特許発明のいずれによる複写に対しても異議を唱えないが、その他のものに対してはすべての著作権を留保する。
【０００２】
本明細書に記載の発明は全般的にコンピューターの分野に関し、より詳細には、ベクトル化ＤＳＬラインを診断および最適化するためのシステムおよび方法に関する。
【背景技術】
【０００３】
背景技術部分で記載される主題は従来技術であると解してはいけない。背景技術部分において記載した結果にすぎない。同様に、背景技術部分に記載されている課題、または、関連している背景技術部分の主題は、従来技術で認識されたものであると解してはいけない。背景技術部分の主題は単に異なるアプローチを示し、それらの部分は特許請求の範囲に記載された主題の実施形態にも対応する。
【０００４】
ベクトル化ＤＳＬ技術によって、高速度で動作するＤＳＬラインを展開する場合に性能を劣化させるクロストーク効果を緩和する。クロストークは、ＤＳＬ伝送に使用されるマルチ−ペア銅ケーブルの重要なノイズ源であり得る。高速度ＤＳＬの展開ではダウンストリーム伝送方向およびアップストリーム伝送方向の両方向に対するクロストークが特に弱く、データレートは典型的には遠端クロストーク（ＦＥＸＴ）によって制限される。複数のＤＳＬラインペアが同一ケーブルを共有する場合には、それらはお互いに性能に悪影響を及ぼすクロストークを誘起する。
【発明の概要】
【発明が解決しようとする課題】
【０００５】
従って、ベクトル化ＤＳＬはクロストークを緩和するために改良された信号処理技術を使用するので、性能が向上する。しかしながら、ここで緩和技術はさらに改良が可能であるので、追加的な性能向上が可能である。つまり、特定のケーブル中のすべてのラインがベクトル化スキームに参加するわけではないので、従来のベクトル化能力を使用した場合には該ラインはクロストーク緩和技術よってクロストークが緩和されない。そればかりか、たとえば、ベクトル化ラインへのクロストーク結合のために非ベクトル化ラインはベクトル化ラインの動作に悪影響をおよぼす。
【０００６】
したがって、本明細書に記載するようなベクトル化ＤＳＬラインを診断および最適化するためのシステムおよび方法は、現状の技術にとって利益がある。
【０００７】
実施形態は実施例を使用して説明されているが、これは限定することを意味するものではなく、以下の図を考慮して以下の詳細な説明を参照すればより十分に理解されるであろう。
【図面の簡単な説明】
【０００８】
【図１】実施形態が動作できる例示的なアーキテクチャを示す。
【図２Ａ】実施形態が動作できる代替の例示的なアーキテクチャを示す。
【図２Ｂ】実施形態が動作できる代替の例示的なアーキテクチャを示す。
【図２Ｃ】実施形態が動作できる代替の例示的なアーキテクチャを示す。
【図２Ｄ】実施形態が動作できる代替の例示的なアーキテクチャを示す。
【図３Ａ】実施形態が動作できる代替の例示的なアーキテクチャを示す。
【図３Ｂ】実施形態が動作できる代替の例示的なアーキテクチャを示す。
【図３Ｃ】実施形態が動作できる代替の例示的なアーキテクチャを示す。
【図３Ｄ】実施形態が動作できる代替の例示的なアーキテクチャを示す。
【図４】実施形態が動作できる例示的な結合器の再構成を示す。
【図５】実施形態が動作でき、実装され、統合され、または構成されるシステムの図表示を示す。
【図６】は、記載された実施形態によるベクトル化ＤＳＬラインを診断および最適化するための方法を示すフローチャートである。
【図７】一つの実施形態によるコンピューターシステムの例示的な形態の装置の図表示を示す。
【発明を実施するための形態】
【０００９】
本明細書は、ベクトル化ＤＳＬラインを診断および最適化するためのシステムおよび方法が記載されている。
【００１０】
たとえば、一実施形態では、該システムは、ベクトル化グループに割り当てられる複数のデジタル通信ラインの第１のサブセットと接続し、および、ベクトル化グループの外部で動作する複数のデジタル通信ラインの第２のサブセットと接続するインターフェースを含む。該実施形態では、ダイナミックスペクトラルマネージメントサーバー（ＤＳＭサーバー）は、ベクトル化グループの複数のデジタル通信ラインのそれぞれに対して以下の動作を実行することによって、ベクトル化グループを分析する：クロストークキャンセルを機能させ（活性化）て、デジタル通信ラインの緩和されたノイズレベルを測定する工程、クロストークキャンセルを機能させない（非活性化）で、デジタル通信ラインの緩和されていないノイズレベルを測定する工程、およびデジタル通信ラインで測定された緩和されたノイズレベルと、デジタル通信ラインで測定された緩和されていないノイズレベルと、を比較する工程を実行する。該実施形態では、ＤＳＭサーバーは、さらに最適化命令を発行する。たとえば、ＤＳＭサーバーは、ベクトル化グループの分析に基づいて、ベクトル化グループのデジタル通信ラインに対する命令を発行する、または、ベクトル化グループの外部のデジタル通信ラインに対する命令を発行する、または、その両方の命令を発行できる。
【００１１】
異なるベクトル化技術の実装によって、異なる抑制レベルでクロストークをキャンセルでき、および、本明細書に開示されたシステムおよびメカニズムはどのようにうまくベクトル化が機能するかを追跡できる。たとえば、該システムは、現在のベクトル化性能を演算し、および、これを実際に記録された信号対ノイズ比（ＳＮＲ）、マージン、およびビットレートと比較して演算できる。実際の性能が演算された性能よりも低い場合には、次に、チャンネル応答（Ｈｌｏｇ）、信号対ノイズ比（ＳＮＲ）、クワイエット（ｑｕｉｅｔ）ラインノイズＰＳＤ（ＱＬＮ）、および、ペア毎のクロストーク結合（Ｘｌｏｇ）などのベクトル化ラインによって報告されたデータを調査することによって性能劣化の根本的原因を決定できる。ベクトル化ラインから報告されたデータは、クロストークキャンセルが限界である、または性能を抑制しているかを決定し、若しくは、ベクトル化グループの外側からベクトル化グループの内側のラインへの過剰なクロストークによる問題があるか否かを決定するなどの異常および可能性がある根本的原因を示している場合がある。過剰なクロストーク、および、影響をおよぼす周波数バンドを生成する各ベクトル化ラインまたは非ベクトル化ラインも特定できる。
【００１２】
根本的原因を分離するために、バックグランドノイズからクロストークを分離すること、および、さらにクロストークがキャンセルされた構成要素およびキャンセルされない構成要素を分離することは役に立つ。残余の遠端クロストーク（ＦＥＸＴ）を推定し、および所定のＤＳＬラインに対するベクトル化の有効性を決定するために、数量値はｄＢよりもむしろリニアスケールで以下のように表現される。
【００１３】
ＳＮＲ（ｆ）：Ｇ．９９３．２で定義される周波数ｆでの信号対ノイズ比である。
【００１４】
Ｈ（ｆ）：Ｇ．９９３．２で定義される周波数ｆでの複素チャンネル特性関数である。
【００１５】
ＱＬＮ（ｆ）：Ｇ．９９３．２で定義される周波数ｆでのクワイエット（ｑｕｉｅｔ）ラインノイズＰＳＤ（パワースペクトル密度）である。
【００１６】
Ｓｊ（ｆ）は以下のように定義される：ラインｊの送信ＰＳＤである．Ｇ．９９３．２で定義されるように、Ｓｊ（ｆ）はＭＲＥＦＰＳＤおよびファインゲイン、ｇｉから推定できる。
【００１７】
Ｘｌｉｎｉｊ（ｆ）：Ｇ．９９３．５で定義されるように、ペアｊからペアｉへのアップストリームまたはダウンストリームＦＥＸＴ結合係数であり、ここでペアｉは分析されるペアであり、ここで当該「ペア（ｐａｉｒ）」は、本明細書に記載のＤＳＬライン、ＤＳＬループ、またはデジタル通信ラインと等価であるツイストペアラインである。
【００１８】
ＸＴｉ（ｆ）は以下のように定義される：他のベクトル化ラインからベクトル化ＤＳＬラインｉへの総クロストークである。これは、ベクトル化が適用されない場合、たとえば、緩和技術が機能していないまたはオフになっている場合のラインに結合したクロストークである。ＸＴｉ（ｆ）は未知であるが、以下の所定のラインを除いて、すべての周囲のベクトル化ラインからのＳｊ（ｆ）×｜Ｘｌｉｎｉｊ（ｆ）｜２の合計で推定される。
【００１９】
【数１】
2015514352.tif 000003
ＸＴｉ（ｆ）がＲＸＴｉ（ｆ）とＣＸＴｉ（ｆ）の合計に等しいと定義すると、ここでＲＸＴｉ（ｆ）は、ベクトル化後に依然として残るベクトル化ラインからの残余のクロストークとして定義され、および、ここでＣＸＴｉ（ｆ）はベクトル化キャンセルまたは事前符号化によって除去されたクロストークとして定義される。ＲＸＴｉ（ｆ）およびＣＸＴｉ（ｆ）の両方は未知である。簡単にするために、ベクトル化ラインの添え字、ｉ、は今後省略する。
【００２０】
Ｎ（ｆ）は以下のように定義される：バックグランドノイズプラスに、同一ベクトル化グループにないライン、および、キャンセルされていないベクトル化グループのラインからのクロストークを加えたものである。Ｎ（ｆ）は未知である。
【００２１】
ＡＬＮ（ｆ）は以下のように定義される：ラインの能動的なラインノイズＰＳＤである。ＡＬＮ（ｆ）は、ラインがフロントエンドノイズおよび量子化ノイズを含む能動的である間に、受信機に入力されるノイズに、受信機の不完全性によるノイズを加えたものである。ＡＬＮ（ｆ）は未知である。
【００２２】
Ａ（ｆ）は以下のように定義される：ラインがフロントエンドノイズおよび量子化ノイズを含む能動的である間の、受信機の不完全性だけによるノイズＰＳＤ成分である。Ａ（ｆ）は未知である。
【００２３】
ベクトル化が不可能な場合：ＡＬＮＮＣ（ｆ）＝Ｎ（ｆ）＋Ａ（ｆ）＋ＸＴ（ｆ）（ＮＣはＡＬＮを示し、および、クロストークがキャンセルされない場合に演算される）。
【００２４】
ベクトル化が可能な場合：ＡＬＮＣ（ｆ）＝Ｎ（ｆ）＋Ａ（ｆ）＋ＲＸＴ（ｆ）（ＣはＡＬＮを示し、および、クロストークがキャンセルされる場合に演算される）。
【００２５】
ＱＬＮ（ｆ）は所定のラインに対して、起動中またはループ診断モード中に推定される。ＱＬＮ（ｆ）が推定される間は、ベクトル化はこのラインには適用されない。
【００２６】
ＱＬＮ（ｆ）は従って：ＱＬＮ（ｆ）＝Ｎ（ｆ）＋ＸＴ（ｆ）と記載されてもよい。
【００２７】
次に、Ｎ（ｆ）＝ＱＬＮ（ｆ）−ＸＴ（ｆ）なのでＮ（ｆ）が推定される。
【００２８】
所定のラインに対してベクトル化が有効、および、有効でない場合に、ＳＮＲ（ｆ）の測定によって、未知のスペクトル、ＡＬＮＮＣ（ｆ）、ＡＬＮＣ（ｆ）、ＲＸＴ（ｆ）、およびＣＸＴ（ｆ）の推定が実施される。
【００２９】
最初に、所定のラインへのベクトル化を無効にする。この場合に、ＳＮＲ（ｆ）が測定され、ＳＮＲ（ｆ）＝Ｓｉ（ｆ）｜Ｈ（ｆ）｜２／ＡＬＮＮＣ（ｆ）である。
【００３０】
次に、ＡＬＮＮＣ（ｆ）がＳｉ（ｆ）｜Ｈ（ｆ）｜２／ＳＮＲ（ｆ）に等しいので、ＡＬＮＮＣ（ｆ）が推定される。
【００３１】
次に、所定のラインへのベクトル化を再び有効にする。
【００３２】
次に、ベクトルクロストークキャンセルが実装されると、ＳＮＲ（ｆ）が測定され、ＳＮＲ（ｆ）＝Ｓｉ（ｆ）｜Ｈ（ｆ）｜２／ＡＬＮＣ（ｆ）である。
【００３３】
次に、ＣＸＴ（ｆ）＝ＸＴ（ｆ）−ＲＸＴ（ｆ）＝ＡＬＮＮＣ（ｆ）−ＡＬＮＣ（ｆ）およびＲＸＴ（ｆ）＝ＸＴ（ｆ）−ＣＸＴ（ｆ）なので、ＲＸＴ（ｆ）およびＣＸＴ（ｆ）が推定される。
【００３４】
代替形態では、ＲＸＴ（ｆ）は、以下の二つの動作で推定されてもよい：ベクトル化が有効である間、ＱＬＮ’（ｆ）もアップストリーム方向で推定される。従って、ＱＬＮ’（ｆ）＝Ｎ（ｆ）＋ＲＸＴ（ｆ）、および、次に、アップストリーム方向だけで、ＲＸＴ（ｆ）＝ＱＬＮ’（ｆ）−Ｎ（ｆ）なので、ＲＸＴ（ｆ）を推定できる。
【００３５】
次に、ＡＬＮＣ（ｆ）＝Ｎ（ｆ）＋Ａ（ｆ）＋ＲＸＴ（ｆ）であり、ここでラインがフロントエンドノイズおよび量子化ノイズを含む活性化されている間の受信機不完全性による、ノイズ成分としてＡ（ｆ）は定義される。
【００３６】
従って、Ａ（ｆ）＝ＡＬＮＣ（ｆ）−Ｎ（ｆ）−ＲＸＴ（ｆ）なので、Ａ（ｆ）を推定できる。
【００３７】
従って、以下のすべてのノイズ構成要素を推定できた：Ａ（ｆ）は受信機ノイズであり、ＲＸＴ（ｆ）はベクトル化グループのラインからの残留未キャンセルクロストークであり、ＣＸＴ（ｆ）はベクトル化グループのラインからのキャンセルされたクロストークであり、および、Ｎ（ｆ）はバックグランドノイズに同一ベクトル化グループにないラインからのクロストークを加えたものである。これらの数値は、ベクトル化の有効性を決定するため、および、ベクトル化受信機の適切な動作を立証するために使用できる。
【００３８】
Ａ（ｆ）が比較的高い場合には受信機のフロントエンドが不良であることを示す。ＲＸＴ（ｆ）／ＣＸＴ（ｆ）の比が比較的高い場合には、ベクトル化性能が不良であることを示す。Ｎ（ｆ）／ＸＴ（ｆ）の比が比較的高い場合には、ベクトル化が十分な効果を発揮できないまたは発揮できないであろうことを示し、および、おそらくラインはベクトル化されるべきでない。たとえば、ここでベクトル化によって十分な効果を得られない場合には、他の場所に適用することによって、ベクトル化リソースをより有益なものとするであろう。さらに、非ベクトル化グループのラインからのＦＥＸＴ成分を特定するために、Ｎ（ｆ）を分析できる。たとえば、ＤＳＬの無線周波数干渉（ＲＦＩ）ノッチングメカニズムを使用することによって、これを実施できる。ＲＦＩノッチングが有効な場合には、ＤＳＬ送信ＰＳＤは、たとえば、マチュアラジオ放送（たとえば、アマチュア無線）などのあらかじめ定められた周波数バンドで低減され、該周波数バンドへの過度の干渉を避ける。その結果、Ｎ（ｆ）は、ＤＳＬ周波数バンド全体に広がるあらかじめ定められた周波数バンドで無視できるほど小さいクロストーク成分を持つ。これらのバンドのＮ（ｆ）と他のバンドのＮ（ｆ）を比較することによって、ＦＥＸＴ成分を特定できる。このＦＥＸＴ成分は、後に、非ベクトル化ラインに適切な送信ＰＳＤを適用するために採用でき、および、ベクトル化ラインの性能を保証するために必要とされる保護を提供する。
【００３９】
顧客末端のラインノイズは、ネットワーク末端のラインノイズとは、非常に異なることがよくある。従って、ここで紹介する分析法は、アップストリームおよびダウンストリーム受信器でそれぞれ別々に適用される。スペクトルを推定するために最大エントロピーを使用するなどして、より洗練された測定器を同一フレームワークで使用することができる。
【００４０】
以下の説明では、数多くの具体的な詳細は、種々の実施形態の完全な理解を提供するために、特定のシステム、言語、構成要素などを例として説明している。しかしながら、当業者にとっては、発明された実施形態を実施するためにこれらの特定の詳細が必ずしも必要ではないことが明らかである。他の事例では、発明された実施形態を不必要に曖昧にすることを避けるために、よく知られた材料または方法が詳細に記載された。
【００４１】
本明細書に記載され、および、図に表現された多様なハードウェア構成要素に加えて、実施形態は以下に記載された多様な動作をさらに含む。該実施形態に従って記載された動作は、ハードウェア構成要素によって実行され、または、機械が実行可能な命令によって実現されてもよく、該命令は前記動作を実施する命令がプログラムされた汎用プロセッサーまたは特定用途プロセッサーを実行させるために使用される。または、メモリおよび１つまたは複数のプロセッサーのコンピューティング・プラットフォームによって本明細書に記載の動作を実施するソフトウェア命令を含む、ハードウェアとソフトウェアの組み合わせによって該動作が実行されてもよい。
【００４２】
実施形態は、明細書に記載の動作を実施するためのシステムまたは装置にも関する。発明されたシステムまたは装置は、要求された目的のために特別に構成されてもよく、すなわち、コンピューターに記憶されるコンピュータープログラムによって選択的に活性化され、または、再構成されてもよい汎用コンピューターを含んでもよい。該コンピュータープログラムは非一時的なコンピューター読み取り可能記憶媒体に記憶されてもよく、これに限定されるものではないが、それらには、フロッピー（登録商標）ディスク、光ディスクを含む種類のディスク、フラッシュ、ＮＡＮＤ、半導体ドライブ（ＳＳＤ）、ＣＤ−ＲＯＭ、および、磁気−光ディスク、リードオンリーメモリ（ＲＯＭ）、ランダムアクセスメモリ（ＲＡＭ）、ＥＰＲＯＭ、ＥＥＰＲＯＭ、磁気または光カード、または、非一時的な電子命令を記憶することができる適切なすべての種類の媒体であって、それぞれがコンピューターシステムバスに接続されているものが含まれる。一実施形態では、これらに記憶される命令を含む非一時的なコンピューター読み取り可能記憶媒体が、管理デバイス、トラフィックアグリゲーションユニットおよび／またはトラフィック非アグリゲーションユニット内の１つまたは複数のプロセッサーを動作させ、本明細書に記載の方法および動作を実施させる。別の実施形態では、該方法および動作を実施する命令が、後の実行のために非一時的なコンピューター可読の媒体に記憶される。
【００４３】
明細書に示されるアルゴリズムおよび表示は、任意の特定のコンピューターまたは他の装置に本質的に関連するものではなく、また、任意の特定のプログラミング言語を参照して記載された実施形態でもない。当然のことながら、本明細書に記載する実施形態の本教示内容を実施するために、さまざまなプログラミング言語が使用されてもよい。
【００４４】
図１は、実施形態がＧ．９９７．１標準（Ｇ．ｐｌｏａｍとも呼ばれる）に従って動作する例示的なアーキテクチャ１００を示す。スプリッターを含む、または、含まない非対称デジタル加入者回線（ＡＤＳＬ）システム（デジタル加入者回線（ＤＳＬ）システムの一つの形態）は、多様な適用可能な標準に従って動作し、それらにはＡＤＳＬ１（Ｇ．９９２．１）、ＡＤＳＬ−Ｌｉｔｅ（Ｇ．９９２．２）、ＡＤＳＬ２（Ｇ．９９２．３）、ＡＤＳＬ２−ＬｉｔｅＧ．９９２．４、ＡＤＳＬ２＋（Ｇ．９９２．５）および超高速デジタル加入者回線または超高速−ビットレートデジタル加入者回線（ＶＤＳＬ）標準であるＧ．９９３．ｘ、並びにＧ．９９１．１およびＧ．９９１．２一対高速デジタル加入者回線（ＳＨＤＳＬ）標準、これらのすべてが結合されおよび結合されない形態、および／またはＧ．９９７．１標準（Ｇ．ｐｌｏａｍとも呼ばれる）が挙げられる。
【００４５】
明確な、Ｇ．９９７．１で規定される組み込み動作チャンネル（ＥＯＣ）、および、Ｇ．９９２．ｘ、Ｇ．９９３．ｘおよびＧ．９９８．４標準で定義されるインジケータビットおよびＥＯＣメッセージの使用に基づいて、Ｇ．９９７．１標準はＡＤＳＬ伝送システムのための物理層マネージメントを規定する。さらに、Ｇ．９９７．１は、構成、フォルトおよび性能管理のためのネットワークマネージメント構成要素内容を規定する。開示された機能を実行する場合に、システムはアクセスノード（ＡＮ）で利用可能であるさまざまな動作データ（性能データを含む）を使用できる。
【００４６】
図１では、ユーザの端末装置１０２（たとえば、加入者宅内機器（ＣＰＥ）デバイスまたは遠隔ターミナルデバイス、ネットワークノード、ＬＡＮデバイス等）はホームネットワーク１０４に結合し、ホームネットワーク１０４は、次にネットワーク終端（ＮＴ）ユニット１０８と結合する。マルチｘＴＵデバイス（「すべての送受信機ユニット」デバイス）がさらに開示される。ｘＴＵはＤＳＬループまたはライン（たとえば、ＤＳＬ、ＡＤＳＬ、ＶＤＳＬ等）を変調する。一実施形態では、ＮＴユニット１０８は、ＴＵ−Ｒ（ＴＵ遠隔）１２２（たとえば、ＡＤＳＬまたはＶＤＳＬ標準のいずれかによって定義される送受信器）あるいは他のいずれかの適切なネットワーク終端モデム、送受信器または他の通信ユニットを含む。ＮＴユニット１０８は、マネージメントエンティティ（ＭＥ）１２４も含む。マネージメントエンティティ１２４は、適用される標準および／または他の基準のいずれかによって要求さるように実行できるマイクロプロセッサー、マイクロコントローラ、またはファームウェアまたはハードウェアの回路ステートマシンなどの任意の好適なハードウェアデバイスであってもよい。マネージメントエンティティ１２４は、その管理情報ベース（ＭＩｂ）に、特に、動作データを収集し、および、記憶する。ＭＩＢは各ＭＥによって維持される情報のデータベースであって、シンプルネットワークマネージメントプロトコル（ＳＲＭＰ）、管理コンソール／プログラムに提供するようにネットワークデバイスから情報を集めるために使用される管理プロトコルなどのネットワークマネージメントプロトコル、中間言語（Ｔｒａｎａｃｔｉｏｎ  Ｌａｎｇｕａｇｅ  １（ＴＬ１））コマンド、または、ＴＲ−６９ベースのプロトコルを介してアクセスすることができる。ＴＬ１は通信ネットワーク要素間のプログラムレスポンスおよびコマンドに使用されるために長年をかけて確立されたコマンド言語である。「ＴＲ−６９」すなわち「技術報告書０６９」は、エンドユーザデバイスの遠隔マネージメントのためのアプリケーション層プロトコルを規定するＣＰＥＷマネージメントプロトコル（ＣＷＭＰ）という名称のＤＳＬフォーラム技術仕様書に準拠する。ＸＭＬまたは「拡張マークアップ言語」対応プログラムおよびインターフェースツールが使用されてもよい。
【００４７】
システムの各ｘＴＵ−Ｒ１２２は、本社（ＣＯ）または他の中心位置のｘＴＵ−Ｃ（ｘＴＵ中心）に結合されることができる。ｘＴＵ−Ｃ１４２は本社１４６のアクセスノード（ＡＮ）１１４に位置する。マネージメントエンティティ１４４は同様にｘＴＵ−Ｃ１４２に関する動作データのＭＩＢを維持する。当業者であれば理解するように、アクセスノード１１４は広帯域ネットワーク１０６または他のネットワークに接続されてもよい。ｘＴＵ−Ｒ１２２およびｘＴＵ−Ｃ１４２はループ１１２によって一緒に結合される。ループ１１２がＡＤＳＬの場合には、電話回線などのツイストペアラインであってもよく、ＤＳＬベースの通信に加えて他の通信サービスを伝送する。マネージメントエンティティ１２４またはマネージメントエンティティ１４４のいずれも本明細書に記載するダイナミックスペクトルマネージメント（ＤＳＭ）サーバー１７０を実装および取り入れることができる。ＤＳＭサーバー１７０は、ＤＳＬサービスをエンドユーザに提供するエンティティから分離されて、サービスプロバイダーによって操作でき、または、第３者によって操作できる。従って、一つの実施形態による、ＤＳＭサーバー１７０は、複数のデジタル通信ラインに対して責任を有する通信事業会社とは分離し、および、異なるエンティティによって動作および管理される。さらに、マネージメントエンティティ１２４またはマネージメントエンティティ１４４は、収集されたＷＡＮ情報および収集されたＬＡＮ情報を関連するＭＩＢの中に記憶できる。
【００４８】
図１に示されるインターフェースのいくつかは、動作データを決定し、収集するために使用される。Ｑインターフェース１２６は、オペレータのネットワークマネージメントシステム（ＮＭＳ）１１６とアクセスノード１１４のＭＥ１４４との間のインターフェースを提供する。Ｇ．９９７．１標準で規定されるパラメータはＱインターフェース１２６に適用する。マネージメントエンティティ１４４でサポートされる近端パラメータはｘＴＵ−Ｃ１４２から得ることができ、一方、ｘＴＵ−Ｒ１２２の遠端パラメータはＵインターフェース上の二つのインターフェースのどちらか一方によって得ることができる。インジケータビットおよびＥＯＣメッセージは、組み込みチャネル１３２を使用して送信でき、および、物理メディア依存（ＰＭＤ）層で提供され、および、ＭＥ１４４で要求されるｘＴＵ−Ｒ１２２パラメータを生成するために使用できる。それに代えて、マネージメントエンティティ１４４によって要求されると、ｘＴＵ−Ｒ１２２からパラメータを得るために、運用・管理・保守（ＯＡＭ）チャンネルおよび適切なプロトコルを使用できる。同様に、ｘＴＵ−Ｃ１４２の遠端パラメータはＵインターフェース上の二つのインターフェースのどちらか一方によって得ることができる。ＰＭＤ層で提供されるインジケータビットおよびＥＯＣメッセージは、ＮＴユニット１０８のマネージメントエンティティ１２４の要求されるｘＴＵ−Ｃ１４２パラメータを生成するために使用できる。それに代えて、マネージメントエンティティ１２４によって要求されると、ｘＴＵ−Ｃ１４２からパラメータを得るために、ＯＡＭチャンネルおよび適切なプロトコルを使用できる。
【００４９】
Ｕインターフェース（ループ１１２とも呼ばれる）には、二つのマネージメントインターフェースがあり、一つはｘＴＵ−Ｃ１４２（Ｕ−Ｃインターフェース１５７）であり、一つはｘＴＵ−Ｒ１２２（Ｕ−Ｒインターフェース１５８）である。インターフェース１５７はｘＴＵ−Ｒ１２２がＵインターフェース／ループ１１２を介して取得するｘＴＵ−Ｃ近端パラメータを提供する。同様に、Ｕ−Ｒインターフェース１５８はｘＴＵ−Ｃ１４２がＵインターフェース／ループ１１２を介して取得するｘＴＵ−Ｒ近端パラメータ提供する。適用されるパラメータは使用される送信器標準によって異なる（たとえば、Ｇ．９９２．１またはＧ．９９２．２）．Ｇ．９９７．１標準は、Ｕインターフェースでのオプションの運用・管理・保守（ＯＡＭ）通信チャネルを規定する。このチャネルが実装される場合には、ｘＴＵ−ＣおよびｘＴＵ−Ｒペアは物理層ＯＡＭメッセージを伝送するためにそれを使用できる。従って、該システムのｘＴＵ送受信器１２２および１４２は、それぞれのＭＩＢで維持される多様な動作データを共有する。
【００５０】
いくつかの代替実施形態によれば、図１で表現されたダイナミックスペクトラルマネージメントサーバー（ＤＳＭサーバー）１７０は、さまざまなオプションの位置で動作する。たとえば、ＤＳＭサーバー１７０は本社１４６内に位置し、および、ネットワークマネージメントシステム（ＮＭＳ）１１６を介して広帯域ネットワーク１０６（たとえば、ＷＡＮ）と接続される。なお別の実施形態では、ＤＳＭサーバー１７０は、Ｇ−インターフェース１５９を介してＮＴユニット１０８またはｘＴＵ−Ｒ１２２と接続される。
【００５１】
本明細書で使用する場合、用語「ユーザ」、「加入者」および／または「顧客」とは、通信サービスおよび／または設備が、さまざまなサービスプロバイダー（単数または複数）のいずれかによって提供され、および／または、提供される可能性がある個人、ビジネスおよび／または組織をいう。さらに、用語「加入者宅内機器」とは、サービスプロバイダーによって通信サービスが提供される位置をいう。例えば、ＤＳＬサービスを提供するために使用される公衆交換電話網（ＰＳＴＮ）では、加入者宅内機器は、電話回線のネットワーク終端（ＮＴ）サイドの近くおよび／または関連する場所に位置する。実施例の加入者宅内機器は、住居またはオフィスビルを含む。
【００５２】
本明細書で使用する場合、用語「サービスプロバイダー」とは、通信サービスおよび／または通信設備を、提供、販売、設定、故障修理および／または維持するさまざまなエンティティのいずれかをいう。実施例のサービスプロバイダーは、電話運営会社、電信運営会社、無線運営会社、インターネット（登録商標）サービスプロバイダー、または、独立または広帯域通信サービスプロバイダーとともに、広帯域通信サービス（ＤＳＬ、ＤＳＬサービス、ケーブル等）の診断または改良するサービスを提供するすべてのサービスを含む。
【００５３】
加えて、本明細書で使用する場合、用語「ＤＳＬ」とは、たとえば、非対称ＤＳＬ（ＡＤＳＬ）、高速ＤＳＬ（ＨＤＳＬ）、対称ＤＳＬ（ＳＤＳＬ）、および／または超高速／超高速−ビット−レートＤＳＬ（ＶＤＳＬ）などの多様なＤＳＬ技術および／またはその変形形態のいずれかをいう。該ＤＳＬ技術は適用される標準に従って共通に実装される。たとえば、適用される標準には、ＡＤＳＬモデムのための国際電気通信連合（Ｉ．Ｔ．Ｕ．）標準Ｇ．９９２．１（Ｇ．ｄｍｔとしても知られる）、ＡＤＳＬ２モデムのためのＩ．Ｔ．Ｕ．標準Ｇ．９９２．３（Ｇ．ｄｍｔ．ｂｉｓ、またはＧ．ＡＤＳＬ２としても知られる）、ＡＤＳＬ２＋モデムのためのＩ．Ｔ．Ｕ．標準Ｇ．９９２．５（Ｇ．ＡＤＳＬ２ｐｌｕｓとしても知られる）、ＶＤＳＬモデムのためのＩ．Ｔ．Ｕ．標準Ｇ．９９３．１（Ｇ．ＶＤＳＬとしても知られる）、ＶＤＳＬ２モデムのためのＩ．Ｔ．Ｕ．標準Ｇ．９９３．２、モデム実装ハンドシャイクのためのＩ．Ｔ．Ｕ．標準Ｇ．９９４．１（Ｇ．ｈｓ）、および／またはＤＳＬモデムのマネージメントのためのＩ．Ｔ．Ｕ．標準Ｇ．９９７．１（Ｇ．ｐｌｏａｍとしても知られる）等がある。ＤＳＬモデムのためのＩ．Ｔ．Ｕ．標準Ｇ．９９３．５はベクトル化を支援し、ＤＳＬモデムのためのＩ．Ｔ．Ｕ．標準Ｇ．９９８．４は再伝送機能を支援し、モデムのためのＩ．Ｔ．Ｕ．標準Ｇ．９９４．１（Ｇ．ｈｓ）はハンドシャイクを実装し、および／またはＩ．Ｔ．Ｕ．Ｇ．９９７．１（Ｇ．ｐｌｏａｍとしても知られる）はＤＳＬモデムのマネージメントのための標準である。
【００５４】
ＤＳＬモデムおよび／またはＤＳＬ通信サービスを顧客に接続することに関しては、例示的なデジタル加入者回線（ＤＳＬ）設備、ＤＳＬサービス、ＤＳＬシステム、および／または、ＤＳＬサービスを配信するための通常のツイストペア銅電話回線を使用して実現され、並びに、当然のことながら開示された発明の特徴的な方法および装置、および／または、本明細書に発明された通信システムのための伝送媒体の試験は多くの他のタイプおよび／またはさまざまな通信設備、サービス、技術および／またはシステムに適用することができる。たとえば、他のタイプのシステムには、無線配信システム、有線またはケーブル配信システム、同軸ケーブル配信システム、極超短波（ＵＨＦ）／超短波（ＶＨＦ）無線周波数システム、衛星または他の地球外システム、セル方式配信システム、広帯域電源−ラインシステムおよび／または光ファイバーネットワークが挙げられる。加えて、これらのデバイス、システムおよび／またはネットワークの組み合わせが使用されてもよい。たとえば、バランコネクターを介して接続されるツイストペアと同軸ケーブルの組み合わせ、または、光ネットワークユニット（ＯＮＵ）での線形光電気接続を有するアナログファイバーと銅の接続などの物理チャネルを連続させる他のすべての組み合わせが使用されてもよい。
【００５５】
明細書で使用されるフレーズ「に結合する（ｃｏｕｐｌｅｄ  ｔｏ）」「と結合する（ｃｏｕｐｌｅｄ  ｗｉｔｈ）」「に接続する（ｃｏｎｎｅｃｔｅｄ  ｔｏ）」「と接続する（ｃｏｎｎｅｃｔｅｄ  ｗｉｔｈ）」および同種のものは、二つの要素および／または構成要素間の接続を記述し、および、結合する（ｃｏｕｐｌｅｄ）／接続する（ｃｏｎｎｅｃｔｅｄ）は直接的に一緒になること、または、たとえば１つまたは複数の介在要素または有線／無線接続を介して間接的に一緒になることを意味するものとする。「通信システム」を参照することには、適用可能な、すべての種類のデータ伝送システムへの参照を含むことが意図される。
【００５６】
図２Ａは実施形態が動作できる代替の例示的なアーキテクチャ２００を示す。図２Ａは、ベクトル化グループ２１１に割り当てられる、複数のデジタル通信ライン２１０の第１のサブセット、および、ベクトル化グループ２１１の外部２１２で動作する複数のデジタル通信ライン２１０の第２のサブセットに対するインターフェース２１３を表す。ダイナミックスペクトラルマネージメントサーバー（ＤＳＭサーバー）１７０がさらに図示される。該実施形態では、ベクトル化グループ２１１の複数のデジタル通信ライン２１０のそれぞれに対して以下の動作を実行することによって、ＤＳＭサーバーはベクトル化グループ２１１を分析する：（ａ）クロストークキャンセルを機能させてデジタル通信ラインの緩和されたノイズレベル２１５を測定する工程（たとえば、ベクトル化グループ２１１に割り当てられた複数のデジタル通信ライン２１０内の各ラインに対するパラメータを測定する工程）；（ｂ）ラインクロストークキャンセルを機能させないでデジタル通信の緩和されていないノイズレベル２１６を測定する工程、および（ｃ）デジタル通信ラインで測定された緩和されたノイズレベル２１５と、デジタル通信ラインで測定された緩和されていないノイズレベル２１６を比較する工程。たとえば、各ラインで、緩和されたノイズレベル２１５と緩和されていないノイズレベル２１６とが比較される。該実施形態では、ＤＳＭサーバー１７０は、ベクトル化グループ２１１の分析に基づいて、さらにベクトル化グループ２１１に最適化命令２１８を発行する。代替の実施形態では、ベクトル化グループ２１１の分析に基づいて、ＤＳＭサーバー１７０は最適化命令２１８を非ベクトル化グループまたはベクトル化グループの外側の１つまたは複数のラインに発行する（たとえば、第２のサブセットのベクトル化グループの外側２１２の複数のデジタル通信ライン２１０の１つまたは複数）。別の代替の実施形態では、ベクトル化グループ２１１の分析に基づいて、ＤＳＭサーバー１７０は最適化命令２１８を、ベクトル化グループ２１１および非ベクトル化グループのそれぞれの１つまたは複数のラインに発行する。従って、ベクトル化グループ２１１の分析の次には、ＤＳＭサーバー１７０からの次の命令によって、ベクトル化またはその他のラインのいずれかの組み合わせによって、それらの動作挙動が変更させられる。
【００５７】
たとえば、ベクトル化が有効である間は、緩和されたノイズレベル２１５はＡＬＮＣ（ｆ）で表現することができる。たとえば、ベクトル化が可能でない場合には、緩和されていないノイズレベル２１６はＡＬＮＮＣ（ｆ）で表現することができる。
【００５８】
一実施形態では、複数のデジタル通信ライン２１０は、複数のデジタル加入者回線（ＤＳＬライン）として実装される。一実施形態では、ベクトル化グループ２１１に割り当てられる複数のデジタル通信ライン２１０の第１のサブセット２１１はベクトル化ＤＳＬラインである。
【００５９】
図２Ｂは実施形態が動作できる代替の例示的なアーキテクチャ２０１を示す。一実施形態では、ベクトル化グループ２１１の複数のデジタル通信ライン２１０のそれぞれに対して、推定されるノイズレベル２２０および推定されるクロストークレベル２２１を演算することによって、ＤＳＭサーバー１７０はベクトル化グループ２１１を分析する。たとえば、バックグランドノイズにクロストークを加えたＮ（ｆ）が推定され、および、緩和されたノイズレベルおよび緩和されていないノイズレベルをそれぞれ示すＡＬＮＣ（ｆ）およびＡＬＮＮＣ（ｆ）と比較される。
【００６０】
一実施形態では、ベクトル化グループ２１１の複数のデジタル通信ライン２１０のそれぞれによって受信される、遠端クロストーク（ＦＥＸＴ）パワースペクトル密度（ＰＳＤ）２２２の合計を演算することによって、ＤＳＭサーバー１７０は、ベクトル化グループ２１１の複数のデジタル通信ライン２１０のそれぞれに対して、推定されるノイズレベル２２０を演算する。
【００６１】
一実施形態では、ＤＳＭサーバー１７０は、ベクトル化グループ２１１内のベクトル化によってキャンセルされた、推定されるクロストーク干渉２２５レベルを演算する。該演算は、デジタル通信ライン２１０のベクトル化グループ２１１に適用された、ベクトル化がどの程度うまく機能したかを評価するために役立つ。
【００６２】
一実施形態では、同一ベクトル化グループ２１１内の他のデジタル通信ライン２１０に起因する干渉（たとえば、ノイズ２２３）が完全にキャンセルされる場合には、ベクトル化グループ２１１の複数のデジタル通信ライン２１０のそれぞれに対するＳＮＲ（ｆ）２１７およびクワイエット（ｑｕｉｅｔ）ラインノイズパワースペクトル密度、ＱＬＮ（ｆ）２１９が、ベクトル化グループ２１１内のデジタル通信ラインのそれぞれについての緩和されたノイズレベルの値、緩和されていないノイズレベル２１６の値、および干渉２２４のベースラインレベル値を演算するためにＤＳＭサーバー１７０によって使用される。
【００６３】
図２Ｃは実施形態が動作できる代替の例示的なアーキテクチャ２０２を示す。垂直軸にＰＳＤ２３０が描かれ、および、グラフの水平軸に周波数（ｆ）２３１が描かれている。
【００６４】
一実施形態では、緩和されたノイズレベル２１５はベクトル化グループ２１１内のデジタル通信ラインのそれぞれで測定されたノイズの第１の総量を示し、ノイズキャンセル技術が活性化され、同一ベクトル化グループ２１１内の他のデジタル通信ライン２１０に起因するクロストークをキャンセルする。一実施形態では、緩和されていないノイズレベル２１６は、ベクトル化グループ２１１内のデジタル通信ラインのそれぞれで測定されたノイズの第２の総量を示し、ノイズキャンセル技術は活性化されていない。一実施形態では、緩和されていないノイズレベル２１６は、同一ベクトル化グループ２１１内の他のデジタル通信ライン２１０からのキャンセルされていない干渉を含む。所定のラインに対する緩和されていないノイズレベル２１６と緩和されたノイズレベル２１５との間の違いによって、ノイズ緩和が活性化されている場合にベクトル化キャンセルによって除去されるクロストークであるＣＸＴｉ（ｆ）が生成される。
【００６５】
一実施形態では、ベクトル化グループ２１１の複数のデジタル通信ライン２１０のそれぞれに対してＤＳＭサーバー１７０は信号対ノイズ比、ＳＮＲ（ｆ）２１７を測定する。一実施形態では、推定されるベースラインの干渉２２４レベルは：受信機の電子部品に起因する推定される干渉レベルであって、前記受信機の電子部品は複数のデジタル通信ライン２１０の一部と結合する受信機の一部である干渉レベルの少なくとも一つを含む。たとえば、該受信機はユーザの端末装置１０２として、または、図１に記載されているようにユーザの端末装置１０２の中で、図１に示される送受信機ユニット１４２および１２２のいずれかの中で、または、デジタル通信ライン２１０に接続される他の通信設備の中で動作可能である。一実施形態では、推定される干渉２２４のベースラインレベルは、ベクトル化グループ２１１に対するクロストークキャンセルの不完全な実装に起因する推定される干渉レベルを含む。
【００６６】
図２Ｂを再び参照すると、一つの実施形態による、ＤＳＭサーバー１７０は：理論的な遠端クロストーク（ＦＥＸＴ）を推定する工程；推定される理論的なＦＥＸＴとベクトル化グループ２１１の複数のデジタル通信ライン２１０のために測定された緩和されたノイズレベル２１５を比較する工程；ベクトル化グループ２１１のためにクロストークキャンセルの有効性を判断する工程；およびベクトル化グループ２１１と通信可能に接続されるベクトル化制御エンティティ（ＶＣＥ）にコマンドを発行する工程によってベクトル化グループ２１１を分析する。たとえば、最適化命令２１８の形態でコマンドを発行する。
【００６７】
一実施形態では、ＤＳＭサーバー１７０はベクトル化グループ２１１の分析に基づいて推定される性能向上を演算し、および、推定される性能向上と閾値を比較する。ＤＳＭサーバー１７０は、推定される性能向上が最小閾値を超えるかまたは超えないかに基づいて、最適化命令２１８を選択するか取りやめるかを決定できる。たとえば、ここで向上が最小である、不十分である、または重要ではないと決定されると、ベクトル化をラインに適用する代わりに、ＤＳＭサーバーはベクトル化を他のどこかのリソースへ適用すること、または、異なるセットまたは種類の最適化命令を適用することを選択できる。
【００６８】
図２Ｄは実施形態が動作できる代替の例示的なアーキテクチャ２０３を示す。垂直軸にＰＳＤ２３０が再び表現され、および、グラフの水平軸に周波数（ｆ）２３１が描かれている。
【００６９】
一実施形態では、ベクトル化グループ２１１の分析に基づく、ベクトル化グループ２１１の複数のデジタル通信ライン２１０の１つまたは複数に影響を及ぼすクロストーク結合周波数またはクロストーク結合周波数範囲２３２に基づいて、ＤＳＭサーバー１７０は伝送パワースペクトル密度（ＰＳＤ）および性質の異なるクロストーカーの種類を特定する。図示されるように、性質の異なるクロストーカーの可能性を示す、特定のクロストーク結合周波数範囲２３２に関してＰＳＤ２３０のスパイクが示されている。
【００７０】
図２Ｂを再び参照すると、一つの実施形態による、ＤＳＭサーバー１７０は、ベクトル化グループ２１１の分析に基づいて干渉信号のノイズの分類を実施し、および、ノイズの分類に基づいて干渉信号源を特定する。たとえば、ノイズの分類によって、ＲＦＩ（無線周波数干渉）；インパルスノイズ、特定の周波数帯域あるいは特定のパワーレベルのノイズ、および、その他のノイズなどのクロストーク干渉に起因するノイズの種類を決定できる。特定の周波数範囲のパワーレベルまたは測定されたＰＳＤに基づいて、クロストーク結合周波数範囲２３２が再び分類され、または、知られた特定可能なソースに関連づけられてもよい。
【００７１】
ベクトル化グループ２１１などのベクトル化ＤＳＬラインの機能的障害は、決定されたクロストーク結合（Ｘｌｏｇ）に基づいて決定できる。Ｘｌｏｇは、水に濡れた−ケーブル、不良接続（ｓｐｌｉｃｅ）、不十分なシールドのワイヤ、よじりが不十分なワイヤ等の望ましくない機能障害の特徴を示す。ネットワークを現場で測定することによって、データを調査し、固有の特徴を探し出すことが可能である。
【００７２】
一実施形態では、性質の異なるクロストーカーのクロストーク結合周波数またはクロストーク結合周波数範囲２３２に基づいて、ＤＳＭサーバー１７０は性質の異なるクロストーカーをベクトル化グループ２１１の外部２１２で動作するデジタル通信ライン２１０の第２のサブセットの複数のラインの一つ、または、ベクトル化グループ２１１の複数のデジタル通信ライン２１０の一つに関連づける。
【００７３】
プロファイル最適化（ＰＯ）は、マルチ−ラインベクトルシステムに対して実行できる。ベクトル化ラインが独立していない場合には、ライン毎に独立してプロファイル最適化を実行する代わりに、ベクトル化グループ２１１の複数のＤＳＬラインのジョイントプロファイル最適化が可能である。該独立している場合は、気温変動または空中ケーブルの移動などの要因で時間変動する結合によってキャンセルが不十分となる場合を含む。プロファイル最適化は、たとえば、結合器の残りのペアのキャンセルが十分でないラインからのクロストークの効果を低減するように、送信パワーおよびスペクトルを制御するためにＤＳＭサーバーから最適化命令２１８を送信する工程を含む。
【００７４】
一実施形態では、最適化命令２１８は、特定された性質の異なるクロストーカーに実施されるノイズキャンセルを含む。一実施形態では、ＤＳＭサーバー１７０は最適化命令２１８を発行することに起因する推定される性能向上度を演算する。
【００７５】
一実施形態では、ベクトル化グループ２１１の分析に基づいてＤＳＭサーバー１７０は性質の異なるクロストーカーを特定する。一実施形態では、性質の異なるクロストーカーは：複数のデジタル通信ライン２１０中の非ベクトルデジタル通信ライン；ベクトル化グループ２１１の複数のデジタル通信ライン２１０を有する共通の結合器中の非ベクトルデジタル通信ライン；ベクトル化グループ２１１中の複数のデジタル通信ライン２１０の中のベクトル化に適さない（ｎｏｎ−ｖｅｃｔｏｒ−ｆｒｉｅｎｄｌｙ）デジタル通信ラインのいずれか一つに対応する。
【００７６】
一実施形態では、ベクトル化に適さない（ｎｏｎ−ｖｅｃｔｏｒ−ｆｒｉｅｎｄｌｙ）デジタル通信ラインは、ベクトル化を支援しない、または、ベクトル化を実装しないベクトル化に適さないデジタル加入者回線モデム（ＤＳＬモデム）と通信可能に接続される。たとえば、図１に示されるユーザの端末装置１０２デバイスの一つは、時代に合わなくなったデバイス、つまりベクトル化を実装しないまたは実装できない非−準拠モデムである場合がある。
【００７７】
一実施形態では、ＤＳＭサーバー１７０は、ＤＳＭレベル２ジョイントスペクトル最適化を使用した近隣情報に基づいて、性質の異なるクロストーカーを、ベクトル化グループ２１１の外部２１２で動作するデジタル通信ライン２１０の第２のサブセットの複数のラインの一つ、または、ベクトル化グループ２１１の複数のデジタル通信ライン２１０の一つに対応づける。ＤＳＭレベル２ジョイントスペクトル最適化は、ベクトル化グループ２１１の中および外部２１２でそれぞれ動作する、デジタル通信ライン２１０の第１および第２のサブセット内の、ベクトル化ライン、ベクトル化に適した（ｖｅｃｔｏｒ−ｆｒｉｅｎｄｌｙ）ライン、および／またはベクトル化に適さない（ｎｏｎ−ｖｅｃｔｏｒ−ｆｒｉｅｎｄｌｙ）ライン間の選択で実施される。
【００７８】
一実施形態では、ベクトル化グループ２１１の内側の第１の性質の異なるクロストーカーは、ベクトル化グループ２１１の外部２１２の第２の性質の異なるクロストーカーに対して推定される性能向上よりも推定される性能向上が低い。該実施形態では、第１の性質の異なるクロストーカーは、ベクトル化グループ２１１に割り当てられる、デジタル通信ライン２１０の第１のサブセット２１１の一つに対応付けられ、および、第２の性質の異なるクロストーカーは、ベクトル化グループ２１１の外部２１２で動作する、デジタル通信ライン２１０の第２のサブセットの一つに対応付けられる。別の言い方をすれば、ベクトル化グループの一員にすでになっているラインは、ベクトル化グループの一員にまだなっていないラインと比較すると、提案されている最適化命令２１８に起因する推定される性能向上という意味では利益が小さい。
【００７９】
一実施形態では、ベクトル化グループ２１１の分析に基づいて、ＤＳＭサーバー１７０は複数のデジタル通信ライン２１０の中から性質の異なるクロストーカーを特定し、および、ＤＳＭサーバー１７０は、ベクトル化グループ２１１の外部２１２の複数のデジタル通信ライン２１０の一つとして特定された性質の異なるクロストーカーに基づいてベクトル化グループ２１１のために最適化命令２１８を発行する。
【００８０】
一実施形態では、ベクトル化グループ２１１の分析に基づいて、ＤＳＭサーバー１７０はベクトル化グループ２１１の外部２１２のデジタル通信ライン２１０の１つまたは複数を特定し、および、ベクトル化グループ２１１の外部２１２の特定された１つまたは複数のデジタル通信ライン２１０に対して少なくとも一つの以下の動作を実施する：ａ）ＤＳＭサーバー１７０はベクトル化グループ２１１の外部２１２のデジタル通信ライン２１０の少なくとも一つに影響を及ぼすシステムパラメータを変更し、およびｂ）ＤＳＭサーバー１７０はベクトル化グループ２１１の外部２１２で動作するデジタル通信ライン２１０少なくとも一つをベクトル化グループ２１１中で動作するように移動させる。たとえば、該動作によって、ベクトル化グループ２１１の全体の動作を改良する可能性が高いとして特定されたクロストーカーに基づいて、改善努力を開始することになる。たとえば、ここで推定される性能向上は閾値を超えるので、ＤＳＭサーバー１７０は、性能向上およびシステム最適化という観点から肯定的改善措置を取ることに価値があると判断する。
【００８１】
図３Ａは実施形態が動作できる代替の例示的なアーキテクチャ３００を示す。特に、ケーブル３２９は、そこに結合器３３０Ａ、３３０Ｂ、および３３０Ｃを有するように示されている。結合器３３０ＡはＤＳＬＡＭ３１５Ａを介して位置３２０Ａにあるベクトル化グループ３０５Ａにデジタル通信ラインを接続させる。結合器３３０ＢはＤＳＬＡＭ３１５Ｂを介して位置３２０Ｂにあるベクトル化グループ３０５Ｂにデジタル通信ラインを接続させる。結合器３３０ＣはＤＳＬＡＭ３１５Ｃを介して位置３２０Ｃにある非ベクトル化グループ３１０のラインにデジタル通信ラインを接続させる。
【００８２】
上述のように、ＤＳＭサーバー１７０は、近隣情報を使用して選択されたベクトル化ライン間で、ＤＳＭレベル２ジョイントスペクトルの最適化を実施する。該情報はさまざまなセットの位置３２０Ａ〜３２０Ｃで利用可能であり、それぞれは、たとえば、３２０Ａまたは３２０Ｂまたは３２０Ｃなどの各特定のセット位置に共通する近隣または地理的領域を示す。一実施形態では近隣情報によって、位置３２０Ａ〜３２０Ｃの所定のセットに関連している少なくともケーブルおよび／または結合器情報を特定する。
【００８３】
各ベクトル化ラインに対するプロファイルを含むプロファイルベクトルに対するステートマシンを使用できる。ステートマシンは、ベクトル化グループ３０５Ａおよび／または３０５Ｂなどの全ベクトル化グループの安定性および速度を改良するために使用できる。該分析およびプロファイルベクトルに対するステートマシンの使用を近隣プロファイル最適化またはＮＰＯと称する。ベクトル化性能データおよびＸｌｏｇデータの恒久的記録は、将来の予定のために、補足され、および、記憶されることができる。該記録には、ラインがベクトル化グループ３０５Ａ〜３０５Ｂに参加し、または、離れた場合の決定および性能の追跡を反映する情報を含むことができる。近隣プロファイル最適化は、ベクトル化がラインまたはラインのグループに実際に適用される前に、ベクトル化が適用された場合の性質の異なるノイズの影響を予測するために使用でき、および、支配的なクロストーカーがオン・オフするときの性能を比較するために近隣プロファイル最適化が使用されてもよい。
【００８４】
共通の結合器３３０Ａおよび３３０Ｂのそれぞれに割り当てられている各ベクトル化グループ３０５Ａおよび３０５Ｂ、および、ベクトル化グループ３０５Ａ〜３０５Ｃと結合器を共有しない非ベクトル化グループ３１０の配置は、最適な割り当てスキームを示す。しかしながら、該割り当てスキームを達成することがいつも可能であるとは限らない。他の事例では、再配置、再ルーティング、および再割り当てによって、割り当てスキームを改善できる。
【００８５】
ベクトル化グループ３０５Ａおよび３０５Ｂ内のベクトル化ラインの管理、ベクトル化に適したラインの管理、および、時代に合わなくなったラインの管理には、ベクトル化ＤＳＬＡＭ（デジタル加入者回線アクセス多重化装置）に接続されるベクトル化に適していないＣＰＥのを特定の特定、または、性質の異なるディスターバ（ｄｉｓｔｕｒｂｅｒ）の特定、または、ベクトルシステムの性能を制限する非ベクトル化ＤＳＬＡＭ（ＡＤＳＬ２／２＋ラインを含む）に接続される性質の異なるクロストーカーを特定することを含む。ベクトル化に適していないラインは、ベクトル化ラインの同期を乱し、および、他の動作特性を混乱させる。ベクトル化に適していないＣＰＥに対するプロファイルの最適化は、すなわち性質の異なるディスターバ／クロストーカーがベクトル化グループの有害な効果を最小化させ、したがって動作上の利益を発生させることが可能であれば、たとえば、最適化命令２１８を発行することによって始まる。該最適化命令は、たとえば、ＤＳＭレベルＩＩの方法、パワー管理およびレート制御を含むことができる。
【００８６】
ベクトル化ラインおよび非ベクトル化ラインで顧客のターゲットビット−レートを達成するために、ベクトル化診断、およびＸｌｏｇデータは、ＤＳＭレベル２、ジョイントＤＳＭ２スペクトル最適化、およびＤＳＭ３ベクトル化とともに使用されてもよい。たとえば、過度の再トレーニングまたは過度のパケットエラーを防ぐためにラインが相互に干渉する状態で、ベクトル化部分から非ベクトル化部分への干渉を最適化する。
【００８７】
ベクトル化グループ３０５Ａ〜３０５Ｂの最適な選択を可能とし、および、ベクトル化グループ内にキャンセルリソースを割り当てるために、近隣位置およびベクトル化グループ３０５Ａ〜３０５Ｂに関する情報を使用することができる。たとえば、特定の地理的な位置の中での事前に知られた、推定された、または、決定された位置３２０Ａ〜３２０Ｃの物理的近接度などの近隣情報に基づいて、お互いに近接しているラインにベクトルキャンセルを割り当てる。これは、すべての近隣／ケーブル情報の一部として考えられるサービング（ｓｅｒｖｉｎｇ）ターミナルからの情報、または、ＤＳＬＡＭ情報に基づいて実施される。
【００８８】
ノイズの相互関係の正確な演算を可能にするために、ベクトル化ラインは同期化されている。たとえば同一近隣ラインに影響を及ぼす近くの家庭（単数または複数）に起因するノイズである該ノイズの根本原因の位置を推定するために、近隣情報をこの対応付け情報と組み合わせることができる。
【００８９】
特定の近隣はベクトル化によってより多くの利益を得ることが可能になり、および、すべての構成要素がベクトル化準拠デバイスに更新されるわけではない状態で、公開優先順位付け段階の間に、非ベクトルシステムからベクトルシステムへの更新を推奨するために近隣情報を使用することができる。
【００９０】
どのラインおよび周波数バンドをベクトル化するべきかを決定するために、Ｘｌｏｇデータおよびベクトル化性能分析を使用できる。速度または達成度を改善するために、どの加入者ファントム（ｐｈａｎｔｏｍ）回路、および／または結合部分に適用するかを決定するためにこのデータが使用されてもよい。
【００９１】
特定の規制環境のもとでいくつかのプロバイダー間での公正を確保するために、ベクトル化診断は不可欠な情報を提供する。たとえば、１ラインに１プロバイダーでＶＤＳＬに対するビット−ストリームの切り離しが実施される場合、ケーブル同業者のマネージメントのためには、異なるオペレータ間でＸｌｏｇデータおよびベクトル化性能データの入手性が本質的に重要になる。ビット−ストリームを切り離す場合、全インフラストラクチャーが単一のオペレータによって管理されて、公平性の管理工程だけではなく公平性の監視工程が重要になる。
【００９２】
帯域幅割り当てを促進するために、ベクトルリソース割り当てが使用されてもよい。たとえば、ネットワークが共同住宅で機能し、および、共同住宅でサービスを購入する場合には、ベクトル化リソースを割り当てて、加入者間である程度帯域幅が分割され、および再分配される。
【００９３】
ファントム（ｐｈａｎｔｏｍ）モードに固有の診断ばかりではなく、マルチ−ラインシステムにファントム（ｐｈａｎｔｏｍ）モードが使用されてもよい。ワイヤペアを差動的に横断する数量を測定する従来のシステムとは対照的な測定システムであって、コモンモード電圧、電力、ＰＳＤ、ＦＤＲ（周波数領域反射計測法）トレースおよびＴＤＲ（時間領域反射計測法）トレース等を測定する測定システムが、ファントム（ｐｈａｎｔｏｍ）モード伝送で使用される各ワイヤのそれぞれを診断するために使用されてもよい。同様に、特有な種類の単一終端ラインテスト（ＳＥＬＴ）がワイヤペアを横断する代わりに、接地される単一のワイヤのファントム（ｐｈａｎｔｏｍ）モードに適用されてもよい。
【００９４】
「Ｃｕ−ＰＯＮ」（「銅パッシブ光ネットワーク」）は、すべてのモードのクロストークの実施、特にベクトルダイナミックスペクトル管理を使用することによって、ＤＳＬ帯域幅を共有し、および、データレートを増大させることが可能なマルチドロップＤＳＬアーキテクチャである。Ｃｕ−ＰＯＮはケーブルの複数の銅ペア間を横切る帯域幅を共有し、各加入者に可変数のマルチドロップラインを可能とし、および、ファントム（ｐｈａｎｔｏｍ）モードおよびベクトル化を使用できる。Ｃｕ−ＰＯＮによって高度に適応可能な帯域幅割り当てが可能になる。事業者または個人宅などの同一位置に複数のＣＰＥを効果的に供給するために、Ｃｕ−ＰＯＮが使用されてもよい。
【００９５】
事業計画、リソース割り当て、プロファイル最適化、および診断に関する多くの目的にとって、ＸｌｏｇまたはＸｌｉｎを知ることは有用である。推定は、Ｐ！＝ｊに対してＥ［ｘｐｘｊ］〜＝０という事実に基づいて実施される。結果として生じる推定は、有限データシーケンスの非ゼロクロス相関に固有のバイアスを除去することによってさらに改善される。クロストークが適切に処理されない場合には、状況を診断するために、および、ベクトル化グループ、結合器または両方の再配置のために、必要に応じて、問題を解決するために、Ｘｌｏｇを含むＤＳＬデータが使用されてもよい。
【００９６】
このように、いくつかの実施形態によれば、最適化命令２１８は、ラインをベクトル化グループに入れ、および、ベクトル化グループから出して、再割り当てまたは再構成を実施することを含む。
【００９７】
図３Ｂは実施形態が動作できる代替の例示的なアーキテクチャ３０１を示す。本明細書で示される実施例では、最適化命令によって、ベクトル化グループ３０５Ａで動作する位置３２０Ａに関連するすべてのラインが再割り当てされて改良され、すべての該ラインが３３０Ａの同一結合器を横断し、および、３０５Ａで同一ベクトル化スキームに参加する。この実施例では、位置３２０Ａからの太いラインは、３０５Ａとは別のもう一つのベクトル化グループと関連し、または、ベクトル化グループに割り当てされていなかった。
【００９８】
図３Ｃは実施形態が動作できる代替の例示的なアーキテクチャ３０２を示す。本明細書で示される実施例では、最適化命令によって、位置３２０Ｂからのラインはルートが変更されることによって改良され、該ラインは結合器３３０Ｂを横断し、同一ベクトル化グループ３０５Ｂに参加する。近隣分析によって、位置３２０Ｂは近隣と呼ばれる一般的な地理的な位置を共有することを決定し、および、従って、特定の位置のために通信経路を切り替えることは有益であり、たとえば、結合器３３０Ｂのライン２１０を結合器３３０Ａのライン２１０に切り替えることである。
【００９９】
他の実施形態では、最適化命令によって、特定の位置３３０Ａでサービスを提供するライン２１０のグループングおよびライン２１０の経路変更によって改良される。たとえば、位置がベクトル化グループ３０５Ｂに追加され、および、その位置でサービスを提供するライン２１０の経路が変更され、該ラインはベクトル化グループ３０５Ｂの他のメンバーと、結合器３３０Ｂなどの共通の結合器を共有する。
【０１００】
図３Ｄは実施形態が動作できる代替の例示的なアーキテクチャ３０３を示す。本明細書で示される実施例では、解析された別のラインとの近接度に基づいて、最適化命令でラインの経路を変更することによってラインが改良される。たとえば、結合器３３０Ｃ内にある別のラインを選択することは有益である。結合器３３０Ｃ内の境界ラインは結合器３３０Ｂの境界ラインと強い結合を示すので、３３０Ｂの境界ラインからより離れている同一結合器３３０Ｃ内の異なるラインを選択することによって、大きな利益がある。ライン、結合器、およびケーブルへの該グルーピングは、デジタル通信ライン２１０で使用されるツイストペアラインまたはループに共通する。
【０１０１】
一つの実施形態による、ベクトル化グループ２１１に最適化命令２１８を発行することには：ベクトル化グループ２１１の動作に影響を与える１つまたは複数のパラメータを変更する工程を含み、ここで１つまたは複数のパラメータは、ビットレート、マージン、パワースペクトル密度（ＰＳＤ）限界、ベクトル化リソース割り当て、およびインパルスノイズプロテクション（ＩＮＰ）設定を含むグループから選択される。
【０１０２】
一実施形態では、ベクトル化グループ３０５Ａ〜３０５Ｂの動作に影響を及ぼす１つまたは複数のパラメータを変更することは、以下の少なくとも一つの１つまたは複数のパラメータを変更するために最適化命令２１８を発行する工程を含む：ベクトル化グループ３０５Ａ〜３０５Ｂの複数のデジタル通信ラインの少なくとも一つと通信可能に接続されるデジタル加入者回線アクセス多重化装置（ＤＳＬＡＭ）３１５Ａ〜３１５Ｃ、または、第１のＤＳＬＡＭ（たとえば、３１５Ａ）に隣接する１つまたは複数のＤＳＬＡＭ（たとえば、３１５Ｂまたは３１５Ｃのいずれか一つ）である。たとえば、第１のＤＳＬＡＭに隣接するＤＳＬＡＭは、ベクトル化グループ３０５Ａ〜３０５Ｂにクロストーク干渉を生じさせていると同定された非ベクトル化ラインの送信パワーまたはＰＳＤの制御を可能にする。
【０１０３】
１つまたは複数のパラメータを変更する工程は、以下の少なくとも一つの１つまたは複数のパラメータを変更する工程をさらに含み、それらは：ベクトル化グループ３０５Ａ〜３０５Ｂの複数のデジタル通信ラインの少なくとも一つと通信可能に接続される加入者宅内機器（ＣＰＥ）モデム、または、ベクトル化グループ３０５Ａ〜３０５Ｂの複数のデジタル通信ラインの少なくとも一つと通信可能に接続されるＤＳＬ構成要素マネージメントシステム（ＥＭＳ）である。
【０１０４】
一実施形態では、ベクトル化グループ３０５Ａ〜３０５Ｂのための最適化命令２１８を発行する工程は：ａ）複数のデジタル通信ラインの少なくとも一つと通信可能に接続される１つまたは複数のシステム要素の構成を変更するために命令を発送する工程；ｂ）ベクトル化グループ３０５Ａ〜３０５Ｂの分析に基づいて、サービス格上げ更新、サービスの格下げ更新、または異なるサービスオプションを含むサービス提言を生成する工程；ｃ）ベクトル化グループ３０５Ａ〜３０５Ｂの分析に基づいて顧客への通知を開始する工程であって、前記顧客への通知は複数の通信可能に接続されるデジタル通信ラインの一つと関連するサービスの顧客への通知である工程；およびｄ）ベクトル化グループ３０５Ａ〜３０５Ｂの分析に基づいてサービスプロバイダーへの通知を開始する工程であって、前記サービスプロバイダーへの通知は少なくとも複数の通信可能に接続されるデジタル通信ラインの一つに関連するサービスのサービスプロバイダーへの通知である工程を含む．一実施形態では、最適化命令２１８を発送する工程は、特定された性質の異なるクロストーカーに向けてノイズキャンセルを開始する工程を含む。
【０１０５】
一実施形態では、ベクトル化グループ２１１に最適化命令２１８を発行することは、以下の動作の少なくとも一つを実施する工程を含む：ａ）ベクトル化グループ３０５Ａ〜３０５Ｂの外部で動作するデジタル通信ラインの少なくとも一つに影響を及ぼすシステムパラメータを変更する工程（たとえば、非ベクトル化グループ３１０内）、およびｂ）ベクトル化グループの外部で動作するデジタル通信ラインの少なくとも一つをベクトル化グループの中で動作するように移動させる工程。
【０１０６】
一つの実施形態によれば、命令を記憶する非一時的なコンピューター読み取り可能記憶媒体であって、ダイナミックスペクトルマネージメントサーバー（ＤＳＭサーバー１７０）のプロセッサーによって命令が実行されると、該命令はＤＳＭサーバー１７０に以下の動作を実施するように機能する：複数のデジタル通信ライン２１０と通信可能に接続する工程；複数のデジタル通信ライン２１０の中で、それらに割り当てられる複数のデジタル通信ライン２１０を有するベクトル化グループ３０５Ａ〜３０５Ｂを特定する工程；ベクトル化グループ３０５Ａ〜３０５Ｂの複数のデジタル通信ライン２１０のそれぞれに対して以下のサブ−動作を実施することによってベクトル化グループ３０５Ａ〜３０５Ｂ分析する工程であって、該工程は：（ａ）クロストークキャンセル緩和を活性化させてデジタル通信ラインの緩和されたノイズレベルを測定する工程、（ｂ）クロストークキャンセル緩和を活性化させないでデジタル通信ラインの緩和されていないノイズレベルを測定する工程、および（ｃ）デジタル通信ラインで測定された緩和されたノイズレベルと、デジタル通信ラインで測定された緩和されていないノイズレベルと、を比較する工程；およびベクトル化グループ３０５Ａ〜３０５Ｂの分析に基づいてベクトル化グループ３０５Ａ〜３０５Ｂのために最適化命令２１８を発行する工程を含む。
【０１０７】
図４は実施形態が動作できる例示的な結合器再構成４００を示す。同一結合器内でベクトル化ラインと非ベクトル化ラインが混合され、および、それらを２つの独立した結合器に分離できない場合には、結合器内での銅割り当てが動作の利益になる。典型的には、オペレータは、ライン番号と対応する幾何学的位置情報を持っている。
【０１０８】
図示されるように、さまざまなペアまたはライン間の距離を最大化するために、結合器４５０内のラインは再経路検索または再構成される。設備販売者がベクトル化のために大きなサイズのノード、または、さまざまなライン間で電子的に接続を変換する手段を提供する場合には、この種類の経路検索が可能になる。
【０１０９】
結合器４５０の中では、ベクトル化ラインはペア番号「１」で示されて一緒に設置され、および、番号「２」の非ベクトル化ラインはベクトル化ラインから離れて一緒に配置される。同一技術は追加的にケーブル内の複数の結合器間に適用でき、異なる結合器内にある境界ペアに対して適用できるが、非常に接近している場合には適用できない。代替の実施形態では、高クロストークとともにラインのグルーピングによって仮想の結合器グループを生成できるが、仮想の結合器で同様の動作が実行される場合には、同一物理ケーブル結合器内であることは必ずしも必要ではない。
【０１１０】
図５は実施形態が動作し、実装され、統合され、または構成されることができるシステム５００の図表示を示す。
【０１１１】
一実施形態では、システム５００は、メモリ５９５およびプロセッサー（一個）またはプロセッサー（複数）５９６を含む。たとえば、メモリ５９５は実行されるべき命令を記憶でき、およびプロセッサー（単数または複数）５９６は該命令を実施できる。プロセッサー（単数または複数）５９６は、本明細書で説明される手法を実装できるロジックを備える実装ロジック５６０を実装し、実施できる。システム５００は、１つまたは複数の通信バス５１５と通信可能に接続される複数の周辺デバイス間で、通信システム５００内のトランザクション、命令、リクエスト、およびデータを送信するためのバス（単数または複数）５１５を含む。一実施形態では、システム５００は、システム５００内の情報、トランザクション、命令、リクエスト、およびデータと通信し、複数の周辺デバイスとの間でインターフェースし、送信し、処理し、中継し、および／または通信する通信バス５１５を含む。システム５００は、たとえば、リクエスト、返信応答を受信し、および、あるいはシステム５００とは分離されて位置するネットワーク要素とインターフェースするマネージメントインターフェース５２５をさらに含む。
【０１１２】
いくつかの実施形態では、ＤＳＬラインベースの通信から分離した帯域外接続を介して、マネージメントインターフェース５２５は情報と通信する。「帯域内」通信はネットワークデバイス間で交換されるペイロードデータ（たとえば、コンテンツ）が同一通信手段を横断する通信であり、および、「帯域外」通信は、ペイロードデータを通信するためのメカニズムから分離された、孤立された通信手段を横断する通信である。帯域外接続は、システム５００と他のネットワークデバイスの間、または、システム５００と第３者サービスプロバイダーの間で制御データおよび命令を通信するための冗長またはバックアップインターフェースとして機能してもよい。
【０１１３】
システム５００は、さらに、ＬＡＮベースの接続を介して情報を通信し、接続されたＤＳＬライン、ＤＳＬループ、ＤＳＬツイストペア、およびシステム５００と接続されるデジタル通信ラインを監視するＤＳＬラインインターフェース５３０を含む。システム５００は、長期間の傾向分析および報告を実施する場合に、分析または参照可能に記憶される履歴情報５５０をさらに含む。システム５００は複数の最適化命令５５５をさらに含むことができ、それぞれの最適化命令は、ベクトル化ラインおよび非ベクトル化ラインの分析に応答して開始できる。たとえば、修正動作、追加の診断、情報の精査、構成変更リクエスト、ローカルコマンド、遠隔実行コマンド、および同種のものが最適化命令５５５によって特定され、トリガされる。蓄積された履歴情報５５０および最適化命令５５５は、ハードディスクドライブ、永続的なデータ記憶装置、データベース、または、システム５００内の他の記憶位置に蓄積されることができる。
【０１１４】
システム５００で特徴があるのは、収集モジュール５７０、分析モジュール５７５、診断モジュール５８０、および実装（実施）モジュール５８５を含むＤＳＭサーバー５０１である。ＤＳＭサーバー５０１は、図５によって描かれている準拠システム５００で実装および構成でき、または、適切な実装ロジック５６０または他のソフトウェアとともに動作するように離れた形態で提供される。
【０１１５】
一つの実施形態による、収集モジュール５７０は、システム５００のＤＳＬラインインターフェース５３０を介した接続されたデジタル通信ライン、または、マネージメントインターフェース５２５を介した他のネットワーク要素からなどの可能な入手源から情報を収集する。分析モジュール５７５は、収集モジュール５７０を介して収集した情報を分析する。さらに、分析モジュール５７５は、蓄積された履歴情報５５０に基づいて長期間の傾向分析を実施し、または、複数の分離した異なるデジタル通信ラインから生成された集約データに基づいて近隣分析を実施できる。診断モジュール５８０は、分析モジュール５７５とともに、または、分析モジュール５７５から切り離して特定の診断ルーチンおよびアルゴリズムを実施できる。診断モジュール５８０は、さらなる分析のために、追加の診断情報の出力をトリガし、または、読み出すために追加の厳密な診断を実施できる。実施モジュール５８５は、ＣＰＥモデム、ＤＳＬＡＭ、およびベクトル化エンジンおよびハードウェア、および他のネットワーク要素に対する命令を生成し、および、生成することを含む、さまざまな最適化命令５５５を実装し、開始する。
【０１１６】
図６は、記述された実施形態によるベクトル化ＤＳＬラインを診断および最適化する工程のための方法を示すフローチャート６００である。方法６００は処理ロジックによって実行でき、該処理ロジックには、ハードウェア（たとえば、電子回路、専用のロジック、プログラム可能なロジック、マイクロコード等）、ソフトウェア（たとえば、命令は処理デバイスで実行され、接続工程機能、収集工程、監視工程、診断工程および情報報告工程、および、最適化命令の実行／開始工程、演算、または、それらのいくつかの組み合わせなどのさまざまな動作を実施する）を含む。一実施形態では、方法６００は、図１の構成要素１７０および図５Ａの構成要素５０１で表現されるＤＳＭサーバーなどを介して実施または連動する。以下に挙げるブロックおよび／または動作のいくつかは特定の実施形態によるオプションである。示されるブロックの番号は、明確にするためのものであり、および、さまざまなブロックで実行されるべき動作の順番を記載することを意図するものではない。加えて、フロー６００の動作はさまざまな組み合わせで利用することができる。
【０１１７】
方法６００は、ブロック６０５で、複数のデジタル通信ラインと通信可能に接続される処理ロジックから開始される。
【０１１８】
ブロック６１０で、処理ロジックは複数のデジタル通信ラインを備える割り当てられたベクトル化グループを特定する。
【０１１９】
ブロック６１５で、処理ロジックは、緩和されたノイズレベルおよび緩和されていないノイズレベルを測定および比較し、ベクトル化グループを分析する。たとえば、処理ロジックは、クロストークキャンセルを有効にして各デジタル通信ラインの緩和されたノイズレベルを測定し、および、処理ロジックは、クロストークキャンセルを機能させないで各デジタル通信ラインの緩和されていないノイズレベルを測定する。さらに分析には、測定された緩和されたノイズレベルと緩和されていないノイズレベルを比較し、および、他の必要な演算を実行することを含む。
【０１２０】
ブロック６２０で、ベクトル化グループの分析に基づいて、処理ロジックは最適化命令（たとえば、パラメータを変更する工程、命令を発送する工程、サービスに関する提言を生成する工程、顧客／サービスプロバイダーへの通知を開始する工程、またはラインのノイズを緩和する工程）をベクトル化グループに発行する。たとえば、処理ロジックは、ベクトル化グループの動作に影響をおよぼす１つまたは複数のパラメータを変更できる。該処理ロジックは、複数の通信可能に接続されるデジタル通信ラインの少なくとも一つと通信可能に接続される１つまたは複数のシステム要素の構成を変更するために、命令を送信できる。処理ロジックは、ベクトル化グループの分析に基づいて、サービス格上げ更新、サービスの格下げ更新、または異なるサービスオプションを含むサービス提言を生成できる。処理ロジックは、ベクトル化グループの分析に基づいて、顧客への通知を開始できる。処理ロジックは、ベクトル化グループの分析に基づいて、サービスプロバイダーへの通知を開始できる。処理ロジックは、ベクトル化グループの外部で動作するデジタル通信ラインの少なくとも一つをベクトル化グループの中で動作させてノイズを緩和できる。たとえば、非ベクトル化ラインからベクトル化グループへ、または、一つのベクトル化グループから別のベクトル化グループへの再配置、再割り当て、または、再構成を実施する。
【０１２１】
ブロック６２５で、処理ロジックは、ベクトル化グループの分析に基づいて干渉信号のノイズの分類を実施し、および、ノイズの分類に基づいて干渉信号源を特定する（たとえば、性質の異なるクロストーカーのＰＳＤおよび種類を特定する工程、性質の異なるクロストーカーをあるラインに対応付ける工程、および、推定される性能向上を演算する工程を実施する）。たとえば、ベクトル化グループの分析に基づいたベクトル化グループの複数のデジタル通信ラインの１つまたは複数に影響をおよぼすクロストーク結合周波数またはクロストーク結合周波数範囲に基づいて、処理ロジックは性質の異なるクロストーカーの伝送パワースペクトル密度（ＰＳＤ）および種類を特定できる。性質の異なるクロストーカーに対応しているクロストーク結合周波数またはクロストーク結合周波数範囲に基づいて、該処理ロジックは、性質の異なるクロストーカーをベクトル化グループの外部で動作する複数のラインの一つ、または、ベクトル化グループの複数のデジタル通信ラインの一つに関連づけできる。処理ロジックは、最適化命令の発行に起因する推定される性能向上を演算でき、および、それを閾値と比較し、または、最適化命令を発行するか否か、および開始すべき最適化命令は何かを決定するために該演算を使用する。
【０１２２】
図７は一つの実施形態によるコンピューターシステムの例示的な形態の装置７００の図表示を示し、該装置では一組の命令によって、該装置７００に本明細書で説明される手法の１つまたは複数のいずれかを実施させるように機能する。代替の実施形態では、該装置は、ローカル領域ネットワーク（ＬＡＮ）、広域ネットワーク、インターネット、エクストラネット、またはインターネット（登録商標）の他の装置と接続され、ネットワーク化され、インターフェース等される。該装置は、クライアント−サーバーネットワーク環境中のサーバーまたはクライアント装置の能力の範囲内で動作し、または、ピアツーピア（あるいは分散型）ネットワーク環境のピア装置として動作できる。該装置の特定の実施形態は、パーソナルコンピューター（ＰＣ）、タブレットＰＣ、セットトップボックス（ＳＴｂ）、携帯情報端末（ＰＤＡ）、携帯電話、ウェブ装置、サーバー、ネットワークルーター、スイッチまたはブリッジ、演算システム、あるいは、一組の命令を（シーケンシャルに、または）その装置によって実行されるべき動作を特定するように実行できるいずれかの装置の形態であってもよい。さらに、単一の装置だけが記載されているが、用語「装置」には、本明細書で説明される手法の１つまたは複数のいずれかを実施する一組（または複数組）の命令単独または共同して実施する装置の集合（たとえば、複数のコンピューター）を含むものと解釈されるべきである。
【０１２３】
例示的なコンピューターシステム７００は、バス７３０を介してお互いに通信する、プロセッサー７０２、メインメモリ７０４（たとえば、リードオンリーメモリ（ＲＯＭ）、フラッシュメモリ、同期ＤＲＡＭ（ＳＤＲＡＭ）またはランバスＤＲＡＭ（ＲＤＲＡＭ）等のダイナミックランダムアクセスメモリ（ＤＲＡＭ）、フラッシュメモリ、スタティックランダムアクセスメモリ（ＳＲＡＭ）、揮発性だが高−データレートＲＡＭ等のスタティックメモリ）、および、二次メモリ７１８（たとえば、ハードディスクドライブを含む永続的な記憶デバイスおよび永続的なデータベース実装）を含む。メインメモリ７０４は、本明細書に記載するシステム、方法、およびＤＳＭサーバーの種々の実施形態に関する機能を実施および実行するために必要な情報および命令およびソフトウェアプログラム構成要素を含む。最適化命令７２３は、たとえば、近隣情報、ＳＮＲデータ、ＰＳＤデータ、緩和機能が活性化されたノイズレベルおよび緩和機能が活性化されていないノイズレベル、およびその他の分析に基づいてトリガされる。収集されたデータおよび演算結果７２４は、メインメモリ７０４の中に蓄積される。最適化命令７２３はメインメモリ７０４の中に蓄積され、および、ＤＳＭサーバー７３４で収集され決定される。メインメモリ７０４およびそのサブ−要素（たとえば７２３および７２４）は、本明細書で説明される手法を実施する処理ロジック７２６および／またはソフトウェア７２２およびプロセッサー７０２とともに動作可能である。
【０１２４】
プロセッサー７０２は、マイクロプロセッサー、中央処理ユニット、または同種のものなどの１つまたは複数の汎用処理デバイスを示す。より詳細には、該プロセッサー７０２は、複数命令セット演算（ＣＩＳＣ）マイクロプロセッサー、縮小命令セットコンピューター（ＲＩＳＣ）マイクロプロセッサー、超長命令語（ＶＬＩＷ）マイクロプロセッサー、他の命令セットを実装するプロセッサー、または命令セットの組み合わせを実装するプロセッサーであってもよい。プロセッサー７０２は、特定用途向け集積回路（ＡＳＩＣ）、フィールド・プログラマブル・ゲート・アレイ（ＦＰＧＡ）、デジタル信号プロセッサー（ＤＳＰ）、ネットワークプロセッサー、または同種のものなどの１つまたは複数の特定目的処理デバイスであってもよい。プロセッサー７０２は、本明細書に記載された演算および機能を実施するための処理ロジック７２６を実施するように構成される。
【０１２５】
コンピューターシステム７００は、インターフェースコンピューターシステム７００が分析するための情報を収集できる１つまたは複数のネットワーク７２０と通信する１つまたは複数のネットワークインターフェースカード７０８をさらに含んでもよい。コンピューターシステム７００は、ユーザーインターフェース７１０（映像表示ユニット、液晶ディスプレ−（ＬＣＤ）、または陰極線管（ＣＲＴ）など）、英数字入力デバイス７１２（たとえば、キーボード）、カーソル制御デバイス７１４（たとえば、マウス）、および、信号生成デバイス７１６（たとえば、統合されたスピーカー）を含んでもよい。コンピューターシステム７００は、周辺デバイス７３６（たとえば、無線または有線通信デバイス、メモリデバイス、記憶デバイス、音声処理デバイス、映像処理デバイス等）をさらに含んでもよい。コンピューターシステム７００は、ベクトルおよび非ベクトル化グループのデジタル通信ラインとの接続工程、監視工程、収集工程、分析工程、および情報報告工程、並びに、ベクトル化メカニズムの特徴および動作を変更するためのコマンドおよび命令の実行を含むさまざまな最適化命令７２３の発行工程、トリガリング工程、および実行工程を実施できるＤＳＭサーバー７３４の機能を実施できる。
【０１２６】
二次メモリ７１８は、本明細書に記載の１つまたは複数の手法または機能のすべてのを具現化できる１つまたは複数のセットの命令（たとえば、ソフトウェア７２２）を記憶できる、非一時的な機械読み取り可能記憶媒体（つまりさらに詳しくは非一時的な機械アクセス可能記憶媒体）７３１を含むことができる。ソフトウェア７２２も搭載でき、すなわち代替的に、メインメモリ７０４に搭載でき、および、さらに、コンピューターシステム７００でソフトウェア７２２を実行する間、完全にまたは少なくとも部分的にプロセッサー７０２に搭載でき、メインメモリ７０４およびプロセッサー７０２は機械読み取り可能記憶媒体を備えることもできる。ソフトウェア７２２は、さらにネットワークインターフェースカード７０８を介して、ネットワーク７２０全体に送受信できる。
【０１２７】
本明細書に発明された主題は、実施例および特定の実施形態によって説明されたが、主張される実施形態は明確に列挙された開示された実施形態に限定されるわけではないことが理解されるべきである。それとは反対に、発明には、当業者にとって明らかな多様な修正形態および類似配列を含むことが意図される。したがって、すべての該修正形態および類似配列を包含するように、添付の特許請求の範囲は最も広い解釈を許容する。上記の説明は例示的であって、制限的ではないことが理解されるべきである。多くの他の実施形態が、上記の説明を読んで理解した当業者には明らかになるであろう。したがって、発明された発明の範囲は、添付の特許請求の範囲、およびその特許請求の範囲が権利を有する等価物の全範囲を参照して決定されるべきである。
【図１】
2015514352.tif 000004
【図２Ａ】
2015514352.tif 000005
【図２Ｂ】
2015514352.tif 000006
【図２Ｃ】
2015514352.tif 000007
【図２Ｄ】
2015514352.tif 000008
【図３Ａ】
2015514352.tif 000009
【図３Ｂ】
2015514352.tif 000010
【図３Ｃ】
2015514352.tif 000011
【図３Ｄ】
2015514352.tif 000012
【図４】
2015514352.tif 000013
【図５】
2015514352.tif 000014
【図６】
2015514352.tif 000015
【図７】
2015514352.tif 000016
【国際調査報告】
2015514352.tif 000017
2015514352.tif 000018